(57)【要約】【課題】揺動型の両開き式扉装置を備えた冷蔵庫に関し、収容スペース減少の問題を招くことなく、扉を円滑に開閉できるようにする。【解決手段】第１及び第２扉４，５の揺動端部に、両扉４，５の閉位置で互いに密着する第１及び第２ガスケット７，８をそれぞれ設ける。そして、閉位置にある第１扉４が開動作するとき、この第１扉４の開動作に連動して、第２扉５の第２ガスケット８を第１扉４の第１ガスケット７から離れるように移動させると共に、該扉の閉位置への閉動作に連動して、第２ガスケット８を第１ガスケット７に密着するように移動させるガスケット移動機構９を設ける。【選択図】図１１
2015087094.tif 000002
【特許請求の範囲】
【請求項１】
壁部の開口部を開閉する揺動型の両開き式の第１及び第２扉を備え、両扉の揺動端部にそれぞれ両扉の閉位置で互いに密着する第１及び第２ガスケットが設けられている扉装置において、
上記第１扉が閉位置から開動作するとき、少なくとも、該第１扉の開動作に連動して、
上記第２ガスケットを上記第１ガスケットから離れるように移動させる一方、上記第１扉が開閉途中の状態にあるとき、移動させた上記第２ガスケットを該位置に保持すると共に、上記第１扉が上記開閉途中の状態から閉位置に閉動作するとき、該第１扉の閉動作に連動して、上記第２ガスケットを上記第１ガスケットに密着するように移動させるガスケット移動機構を備えていることを特徴とする扉装置。
【請求項２】
請求項１において、
上記ガスケット移動機構は、
上記第２扉が閉位置から開動作するとき、該第２扉の開動作に連動して、上記第２ガスケットを上記第１ガスケットから離れるように移動させる一方、上記第２扉が開閉途中の状態にあるとき、移動させた上記第２ガスケットを該位置に保持すると共に、上記第２扉が上記開閉途中の状態から閉位置に閉動作するとき、上記第２扉の閉動作に連動して、上記第２ガスケットを上記第１ガスケットに密着するように移動させることを特徴とする扉装置。
【請求項３】
請求項２において、
上記ガスケット移動機構は、
上記第２扉が閉位置から開動作するとき、少なくとも、該第２扉の開動作に連動して、
上記第１ガスケットを上記第２ガスケットから離れるように移動させ、上記第２扉が開閉途中の状態にあるとき、移動させた上記第１ガスケットを該位置に保持すると共に、上記第２扉が上記開閉途中の状態から閉位置に閉動作するとき、該第２扉の閉動作に連動して、上記第１ガスケットを上記第２ガスケットに密着するように移動させる一方、上記第１扉が閉位置から開動作するとき、該第１扉の開動作に連動して、上記第１ガスケットを上記第２ガスケットから離れるように移動させ、上記第１扉が開閉途中の状態にあるとき、移動させた上記第１ガスケットを該位置に保持すると共に、上記第１扉が上記開閉途中の状態から閉位置に閉動作するとき、上記第１扉の閉動作に連動して、上記第１ガスケットを上記第２ガスケットに密着するように移動させることを特徴とする扉装置。
【請求項４】
請求項３において、
上記ガスケット移動機構は、
上記第１及び第２扉のいずれか一方が閉位置から開いた所定の開度までの角度範囲にあるとき、上記第１ガスケットと上記第２ガスケットとを互いに接離させるように共に移動させることを特徴とする扉装置。
【請求項５】
請求項４において、
上記ガスケット移動機構は、
上記第１扉に揺動可能に支持され、上記第１ガスケットに連結されて該第１ガスケットを上記第２ガスケットに対し接離させる第１ラッチと、
上記第１ラッチを上記第１ガスケットが上記第２ガスケットから離隔する方向に回動付勢する第１ラッチ付勢手段と、
上記壁部の開口部の周縁部に揺動可能に支持され、上記両扉が閉状態にあるとき、揺動端部の一方に上記第２扉の後面により押圧される第１押圧面を有すると共に、他方に、上記第１ラッチに接触する第１カム面を有する第１揺動カムと、
上記第１揺動カムを、上記第１ラッチが上記第１ラッチ付勢手段により付勢されて回動するのを許容する方向に回動付勢する第１揺動カム付勢手段とを備え、
上記第１揺動カムの第１カム面は、上記第２扉が閉位置にあるとき、上記第１扉の開閉動作に伴う上記第１ラッチの回動を許容する一方、上記第１扉が閉位置にあるとき、上記第２扉の開閉動作に伴う上記第１揺動カムの回動に連動する上記第１ラッチの回動を許容するように構成され、
上記ガスケット移動機構は、さらに、
上記第２扉に揺動可能に支持され、上記第２ガスケットに連結されて該第２ガスケットを上記第１ガスケットに対し接離させる第２ラッチと、
上記第２ラッチを上記第２ガスケットが上記第１ガスケットから離隔する方向に回動付勢する第２ラッチ付勢手段と、
上記壁部の開口部の周縁部に揺動可能に支持され、上記両扉が閉状態にあるとき、揺動端部の一方に上記第１扉の後面により押圧される第２押圧面を有すると共に、他方に、上記第２ラッチに接触する第２カム面を有する第２揺動カムと、
上記第２揺動カムを、上記第２ラッチが上記第２ラッチ付勢手段により付勢されて回動するのを許容する方向に回動付勢する第２揺動カム付勢手段とを備え、
上記第２揺動カムの第２カム面は、上記第１扉が閉位置にあるとき、上記第２扉の開閉動作に伴う上記第２ラッチの回動を許容する一方、上記第２扉が閉位置にあるとき、上記第１扉の開閉動作に伴う上記第２揺動カムの回動に連動する上記第２ラッチの回動を許容するように構成されていることを特徴とする扉装置。
【請求項６】
請求項５において、
上記第１押圧面は、
上記第２扉が閉位置にあるとき、上記壁部の開口部に没入する一方、該第２扉が閉位置から開くとき、上記第２扉の後面に向けて上記壁部の開口部から突出するように構成され、
上記第２押圧面は、
上記第１扉が閉位置にあるとき、上記壁部の開口部に没入する一方、該第１扉が閉位置から開くとき、上記第１扉の後面に向けて上記壁部の開口部から突出するように構成されていることを特徴とする扉装置。
【請求項７】
請求項５又は６において、
上記第１及び第２揺動カムは、各々の揺動軸が同軸で並ぶように配設されていることを特徴とする扉装置。
【請求項８】
壁部の開口部を開閉する揺動型の両開き式の第１及び第２扉を備え、両扉の揺動端部にそれぞれ両扉の閉位置で互いに密着する第１及び第２ガスケットが設けられている扉装置において、
上記第１扉が閉位置から開動作するとき、少なくとも、該第１扉の開動作に連動して、
上記第２ガスケットを上記第１ガスケットから一旦離れるように移動させる一方、上記第１扉が閉位置に閉動作するとき、該第１扉の閉動作に連動して、上記第２ガスケットを上記第１ガスケットから一旦離れた後に密着する様に移動させるガスケット移動機構を備えていることを特徴とする扉装置。
【請求項９】
請求項８において、
上記ガスケット移動機構は、
上記第１扉が閉位置から開動作するとき、該第１扉の開動作に連動して、上記第１ガスケットを上記第２ガスケットから一旦離れるように移動させる一方、上記第１扉が閉位置に閉動作するとき、該第１扉の閉動作に連動して、上記第１ガスケットを上記第２ガスケットから一旦離れた後に密着する様に移動させることを特徴とする扉装置。
【請求項１０】
請求項９において、
上記ガスケット移動機構は、
上記第１扉の閉位置から第１開度までの角度範囲における開閉動作に連動して上記第２ガスケットを移動させ、且つ上記第１扉の上記第１開度よりも小さい第２開度から該第１開度よりも大きい第３開度までの角度範囲における開閉動作に連動して上記第１ガスケットを移動させ、さらに、上記第１開度から上記第２開度の角度範囲では、上記第１ガスケットと上記第２ガスケットとを共に移動させることを特徴とする扉装置。
【請求項１１】
請求項９又は１０において、
上記ガスケット移動機構は、上記両扉各々に設けられた一対のアームと、上記壁部の開口部側に設けられた揺動カムとを備えてなり、
上記両扉が閉状態にあるとき、上記揺動カムは中立位置にあり且つ上記両アームの先端部が上記揺動カムに両側から接触しており、
上記揺動カムの両側には、上記第１扉の開閉動作に伴う上記第１扉側のアームの変位によって上記揺動カムを介して上記第２扉側のアームが変位し、該変位によって上記第２ガスケットが押動されて移動された状態になるように、上記両アーム各々が接触するカム面が設けられていることを特徴とする扉装置。
【請求項１２】
請求項１０において、
上記ガスケット移動機構は、上記両扉各々に設けられた一対のアームと、上記壁部の開口部側に設けられた揺動カムと、該揺動カムよりも扉寄りに設けられた固定ガイドとを備え、
上記両扉が閉状態にあるとき、上記揺動カムは中立位置にあり且つ上記両アームの先端部が上記揺動カムに両側から接触しており、
上記揺動カムの両側には、上記第１扉の閉位置から上記第１開度までの角度範囲における開閉動作に伴う上記第１扉側アームの変位によって上記揺動カムを介して上記第２扉側アームが変位し、該変位によって上記第２ガスケットが押動されて移動された状態になるように、上記両アーム各々が当接するカム面が設けられ、
上記固定ガイドの両側には、上記第１扉の上記第２開度から上記第３開度までの角度範囲での開閉時に上記第１扉側アームが変位して上記第１ガスケットが押動されて移動した状態になるように、両アーム各々の先端部が接触するガイド面が設けられていることを特徴とする扉装置。
【請求項１３】
請求項１乃至１２のいずれか一の扉装置を備えた冷蔵庫。
【発明の詳細な説明】
【技術分野】
【０００１】
本発明は扉装置及び該扉装置を備えた冷蔵庫に関する。
【背景技術】
【０００２】
冷蔵庫等の扉装置の一例が特許文献１に示されている。この例の扉装置では、両開き式（観音開き式）になった両扉各々の裏面側にガスケットが設けられている。さらに、一方の扉に両扉のガスケット間を庫内側から塞ぐ仕切体が設けられている。その仕切体は、一方の扉に回動自在に枢支されている。扉を開くと、仕切体がバネの付勢力によって庫内側へ突出した状態になり、扉を閉じると、仕切体がバネの付勢力に抗して回動し、両扉のガスケットに庫内側から当接する。
【０００３】
特許文献２には、両開き式扉装置の別の例が示されている。この例では、両扉の対向する側面に互いに密着するガスケットが設けられている。その扉は、開閉時にヒンジ位置が移動することでスライドする。この扉のスライドにより、扉開閉時のガスケット同士の干渉（擦れ）が防止されるようになっている。
【０００４】
特許文献３には、互いに密着するガスケットを備えた両開き式扉装置のさらに別の例が示されている。この扉装置では、両ガスケット各々が扉の開閉時に互いに離れる方向に挙動する可動型ガスケットとされている。具体的には、扉に枢支したラッチにガスケット保持部材を固定し、この保持部材にガスケットを保持する構造が採用されている。この扉装置によれば、ラッチが庫内側の突出部に係合・離脱するときに傾き、それに伴ってガスケットも他方のガスケットから離れるように傾くことになる。
【先行技術文献】
【特許文献】
【０００５】
【特許文献１】特開平１−２０８６９０号公報
【特許文献２】特開昭５７−７３３８３号公報
【特許文献３】特許第３６８２０１５号公報
【発明の概要】
【発明が解決しようとする課題】
【０００６】
しかし、特許文献１の扉装置では、仕切体の回動を許容するスペースを庫内側に確保する必要があり、それだけ冷蔵庫等の収容スペースが狭くなる。
【０００７】
一方、特許文献２の扉装置では、収容スペースが狭くなるという問題は生じないが、扉が開閉されるたびに扉のヒンジが変位することから、このヒンジ部分の早期劣化による扉の開閉動作の異常が懸念される。また、特許文献３の扉装置では、扉開閉に伴ってガスケットが傾いたとき、ガスケットの庫外側部分が他方のガスケットから離れる一方で、ガスケットの庫内側部分は他方のガスケットに近づくことになる。そのため、扉装置を構成する部材の寸法バラツキや取付誤差によっては、扉開閉時にガスケット同士が干渉して、扉の円滑な開閉に支障を来すことが懸念される。
【０００８】
そこで、本発明の目的は、互いに密着するガスケットを有する両開き式扉装置を改良することにより、収容スペース減少の問題を招くことなく、扉を円滑に開閉することができるようにする。
【課題を解決するための手段】
【０００９】
本発明は、上記課題を解決するために、一方の扉の開閉動作に連動して他方の扉のガスケットが動く（一方の扉のガスケットから離れる）ようにした。
【００１０】
第１の発明は、壁部の開口部を開閉する揺動型の両開き式の第１及び第２扉を備え、両扉の揺動端部にそれぞれ両扉の閉位置で互いに密着する第１及び第２ガスケットが設けられている扉装置を対象とする。
【００１１】
そして、上記第１扉が閉位置から開動作するとき、少なくとも、該第１扉の開動作に連動して、上記第２ガスケットを上記第１ガスケットから離れるように移動させる一方、上記第１扉が開閉途中の状態にあるとき、移動させた上記第２ガスケットを該位置に保持すると共に、上記第１扉が上記開閉途中の状態から閉位置に閉動作するとき、該第１扉の閉動作に連動して、上記第２ガスケットを上記第１ガスケットに密着するように移動させるガスケット移動機構を備えていることを特徴とするものである。
【００１２】
この扉装置の場合、両扉の閉位置で互いのガスケット同士が密着する方式を採用しているから、両ガスケット間の隙間を塞ぐための仕切体は不要になり、仕切体により収容スペースが減少するという問題は生じない。
【００１３】
そうして、ガスケット移動機構により第１扉が閉位置から開動作するときには、この開動作に連動して第２扉の第２ガスケットが移動して、第１扉の第１ガスケットから離れる。よって、ガスケット同士の干渉を防止して第１扉の開動作を円滑にするために有利になる。また、第１扉が開閉途中の状態にあるときには、上記第２ガスケットの位置が移動したままの位置に保持されるから、第１扉が閉動するとき、その移動によって空いた所に第１ガスケットが収まっていくことになる。ゆえに、ガスケット同士の干渉を招くことが避けられるから、第１扉の閉動も円滑になる。そして、第１扉が開閉途中の状態から閉位置に達しようとするとき、第２ガスケットは第１ガスケットに密着するように移動し、第１扉が閉位置に達するとガスケット同士が密着した状態になる。よって、第２ガスケットを所定の閉位置に導いてガスケット同士を再び密着させるために有利になる。
【００１４】
第２の発明は、上記第１の発明において、上記ガスケット移動機構は、上記第２扉が閉位置から開動作するとき、その第２扉の開動作に連動して、上記第２ガスケットを上記第１ガスケットから離れるように移動させる一方、上記第２扉が開閉途中の状態にあるとき、移動させた上記第２ガスケットを該位置に保持すると共に、上記第２扉が上記開閉途中の状態から閉位置に閉動作するとき、上記第２扉の閉動作に連動して、上記第２ガスケットを上記第１ガスケットに密着するように移動させることを特徴とするものである。
【００１５】
この場合、ガスケット移動機構は、閉位置にある第１及び第２扉のいずれか一方の開閉動作に連動して、第２ガスケットを第１ガスケットに対して接離するように移動させることができる。ゆえに、ガスケット同士の干渉を招くことが避けられ、両扉の開閉動作が円滑になると共に、扉を閉じたときにガスケット同士を再び密着させるために有利になる。
【００１６】
第３の発明は、上記第２の発明において、上記ガスケット移動機構は、上記第２扉が閉位置から開動作するとき、少なくとも、上記第２扉の開動作に連動して、上記第１ガスケットを上記第２ガスケットから離れるように移動させ、上記第２扉が開閉途中の状態にあるとき、移動させた上記第１ガスケットを該位置に保持すると共に、上記第２扉が上記開閉途中の状態から閉位置に閉動作するとき、上記第２扉の閉動作に連動して、上記第１ガスケットを上記第２ガスケットに密着するように移動させる。
【００１７】
一方で、上記ガスケット移動機構は、上記第１扉が閉位置から開動作するとき、該第１扉の開動作に連動して、上記第１ガスケットを上記第２ガスケットから離れるように移動させ、上記第１扉が開閉途中の状態にあるとき、移動させた上記第１ガスケットを該位置に保持すると共に、上記第１扉が上記開閉途中の状態から閉位置に閉動作するとき、上記第１扉の閉動作に連動して、上記第１ガスケットを上記第２ガスケットに密着するように移動させることを特徴とするものである。
【００１８】
この場合、ガスケット移動機構は、閉位置にある両扉のいずれか一方の開閉動作に連動して両ガスケットを互いに接離させるように移動させる。ゆえに、ガスケット同士の干渉防止にさらに有利になり、両扉の開閉動作が一層円滑になる。
【００１９】
第４の発明は、上記第３の発明において、上記ガスケット移動機構は、上記第１及び第２扉のいずれか一方が閉位置から開いた所定の開度までの角度範囲にあるとき、上記第１ガスケットと上記第２ガスケットとを互いに接離させるように共に移動させることを特徴とするものである。
【００２０】
この場合、上記両扉の内のいずれか一方が、閉位置から所定の開度までの角度範囲で開閉動作するとき、第１ガスケットと第２ガスケットとが共に移動した状態になる。
【００２１】
したがって、ガスケット移動機構は、例えば、第１扉を閉位置から開動したとき、第１扉の開動と同時に両ガスケットの各々を互いに離隔するように移動させるから、第１扉の開動時のガスケット同士の干渉を防止するにあたってさらに有利になる。そして、第１扉がさらに開動すると、両ガスケットの移動がそれぞれ順次停止して、それらの位置が移動したままの位置に保持されるようになる。
【００２２】
一方、第１扉が閉位置に閉動作するときは、この第１扉の開度が小さくなるにつれて、両ガスケットの各々を順次移動させることになる。そして、第１扉が閉位置に至ると同時にガスケット同士を互いに密着させるように移動させる。これにより、第１扉の閉動に際しても、ガスケット同士の干渉防止を図るにあたってさらに有利となる。
【００２３】
第５の発明は、上記第４の発明において、上記ガスケット移動機構は、上記第１扉に揺動可能に支持され、上記第１ガスケットに連結されて該第１ガスケットを上記第２ガスケットに対し接離させる第１ラッチと、該第１ラッチを上記第１ガスケットが上記第２ガスケットから離隔する方向に回動付勢する第１ラッチ付勢手段と、上記壁部の開口部の周縁部に揺動可能に支持され、上記両扉が閉状態にあるとき、揺動端部の一方に上記第２扉の後面により押圧される第１押圧面を有すると共に、他方に、上記第１ラッチに接触する第１カム面を有する第１揺動カムと、該第１揺動カムを、上記第１ラッチが上記第１ラッチ付勢手段により付勢されて回動するのを許容する方向に回動付勢する第１揺動カム付勢手段とを備えている。
【００２４】
そして、上記第１揺動カムの第１カム面は、上記第２扉が閉位置にあるとき、上記第１扉の開閉動作に伴う上記第１ラッチの回動を許容する一方、上記第１扉が閉位置にあるとき、上記第２扉の開閉動作に伴う上記第１揺動カムの回動に連動する上記第１ラッチの回動を許容するように構成されている。
【００２５】
上記ガスケット移動機構は、さらに、上記第２扉に揺動可能に支持され、上記第２ガスケットに連結されて該第２ガスケットを上記第１ガスケットに対し接離させる第２ラッチと、上記第２ラッチを上記第２ガスケットが上記第１ガスケットから離隔する方向に回動付勢する第２ラッチ付勢手段と、上記壁部の開口部の周縁部に揺動可能に支持され、上記両扉が閉状態にあるとき、揺動端部の一方に上記第１扉の後面により押圧される第２押圧面を有すると共に、他方に、上記第２ラッチに接触する第２カム面を有する第２揺動カムと、上記第２揺動カムを、上記第２ラッチが上記第２ラッチ付勢手段により付勢されて回動するのを許容する方向に回動付勢する第２揺動カム付勢手段とを備えている。
【００２６】
そして、上記第２揺動カムの第２カム面は、上記第１扉が閉位置にあるとき、上記第２扉の開閉動作に伴う上記第２ラッチの回動を許容する一方、上記第２扉が閉位置にあるとき、上記第１扉の開閉動作に伴う上記第２揺動カムの回動に連動する上記第２ラッチの回動を許容するように構成されていることを特徴とするものである。
【００２７】
この構成では、両扉が閉位置にあるとき、第１揺動カムの第１押圧面が第２扉の後面により押圧され、第１カム面が第１ラッチと接触して第１ガスケットを第２ガスケットに密着させている。第１ラッチが第１ラッチ付勢手段による付勢力を受けて第１ガスケットを第２ガスケットから離隔させる方向に回動するように、第１揺動カムは、第１揺動カム付勢手段によって第１ラッチの回動を許容する方向に回動付勢されている。しかし、第２扉からの押圧によって第１揺動カムの回動が規制されるため、第１ラッチの回動が許容されず、第１ラッチ及び第１ガスケットの位置は所定の位置に保持される。
【００２８】
そして、第２扉が閉位置にあるとき、第１扉が閉位置から開動作すると、それによって第１ラッチが第１扉と共に動作して変位する。この変位に伴って、第１ラッチの回動が許容されるようになり、第１ラッチが第１ラッチ付勢手段による付勢力に従って回動する。このとき、第１ラッチは、第１揺動カムに設けられた第１カム面に沿って回動し、この回動によって、第１ガスケットを第２ガスケットから離れるように移動させる。第１扉がさらに開動して所定の開度を超えると、第１カム面と第１ラッチとの接触が離れ、第１ラッチが第１扉の所定の位置に保持される。
【００２９】
一方、第２扉が閉位置にある状態で第１扉が閉位置に閉動作するとき、第１扉の開度が所定の開度を下回ると、第１ラッチは第１カム面に再び接触し、第１ラッチは第１ラッチ付勢手段の付勢力に抗して回動する。このときも、第１ラッチは第１カム面に沿って回動する。この回動によって、第１ガスケットを第２ガスケットに接近するように移動させて、第１扉が閉位置に達すると同時に第１ガスケットを第２ガスケットに対して密着させる。
【００３０】
また、第１扉が閉位置にあるとき、第２扉が閉位置から開動作すると、それによって第１押圧面への押圧が解かれ、第１揺動カムは第１揺動カム付勢手段による付勢力に従って回動する。この回動に連動して第１ラッチの回動も許容されるようになるため、第１ラッチも第１ラッチ付勢手段による付勢力に従って回動する。このとき、第１ラッチは、第１揺動カムに設けられた第１カム面に沿って回動し、この回動によって、第１ガスケットを第２ガスケットから離れるように移動させる。第２扉がさらに開動して所定の開度を超えると、第１カム面と第１ラッチとの接触が離れ、第１ラッチが第１扉の所定の位置に保持される。
【００３１】
一方、第１扉が閉位置にある状態で第２扉が閉位置に閉動作するとき、第２扉の開度が所定の開度を下回ると、第２扉の後面が第１押圧面を再び押圧するようになる。この押圧を受けて第１カム面が回動して第１ラッチに再び接触し、第１ラッチ付勢手段の付勢力に抗して第１ラッチを回動させる。このときも、第１ラッチは第１カム面に沿って回動する。この回動によって、第１ガスケットを第２ガスケットに接近するように移動させて、第２扉が閉位置に達すると同時に第１ガスケットを第２ガスケットに対して密着させる。
【００３２】
同様に、第２扉の開閉動作に伴って第２ラッチを回動させることにより、第２ガスケットを第１ガスケットから接離するように移動させる一方、第１扉の開閉動作に伴って第２揺動カムを回動させ、且つこの第２揺動カムの回動に連動するように第２ラッチを回動させることにより、第２ガスケットを第１ガスケットから接離するように移動させるようになっている。
【００３３】
したがって、第１ラッチと第１揺動カムとを備え、両扉の内のいずれか一方の開閉動作に伴って第１ガスケットを第２ガスケットから接離するように移動させる構成と、第２ラッチと第２揺動カムとを備え、両扉の内のいずれか一方の開閉動作に伴って第２ガスケットを第１ガスケットから接離するように移動させる構成とが併せて設けられている。よって、両扉の内のいずれか一方の開閉に伴って、第１ガスケットと第２ガスケットとが互いに接離するように共に移動させるようになっている。
【００３４】
両扉が開動作するとき、第１及び第２揺動カム、並びに第１及び第２ラッチは、いずれも外部（例えば、操作者）から付与されたトルクに従って回動するものではなく、それぞれに設けられた付勢手段による付勢力に従って回動するものである。これにより、例えば、操作者への負荷を増大させることなく、一方のガスケットを他方のガスケットから離れる様に移動させることができる。
【００３５】
第６の発明は、上記第５の発明において、上記第１押圧面は、上記第２扉が閉位置にあるとき、上記壁部の開口部に没入する一方、上記第２扉が閉位置から開くとき、該第２扉の後面に向けて上記壁部の開口部から突出するように構成されている。また、上記第２押圧面は、上記第１扉が閉位置にあるとき、上記壁部の開口部に没入する一方、該第１扉が閉位置から開くとき、上記第１扉の後面に向けて上記壁部の開口部から突出するように構成されていることを特徴とするものである。
【００３６】
この場合、第２扉の後面により押圧される第１押圧面が、この第２扉の開動作に伴って、第１揺動カム付勢手段の付勢力に従って壁部の開口部から突出するように構成されているから、第２扉が閉じるとき、閉動作する第２扉の後面によって該突出部を上記付勢力に抗して押動して開口部に没入させることによって、第１押圧面、ひいては第１揺動カムの位置を元の位置に戻すことができる。
【００３７】
第２押圧面の構成と、第１扉の開閉動作に伴う第２押圧面の動作とについても同様である。
【００３８】
第７の発明は、上記第５又は第６の発明において、上記第１及び第２揺動カムは、各々の揺動軸が同軸で並ぶように配設されていることを特徴とするものである。
【００３９】
この場合、例えば、上記第１揺動カムと上記第２ガムとで共通の揺動軸心を用いるように構成することによって、収容スペース減少の問題を防止するにあたってさらに有利になる。
【００４０】
その上、第１及び第２揺動カムを軸心方向にずらして配設することによって、それぞれに接触する第１及び第２ラッチについても軸心方向にずらして配設することが可能となる。これにより、第１ラッチと第２ラッチとが共に動作するときの両ラッチの干渉を防止し、両扉の開閉動作を円滑なものにするにあたって有利になる。
【００４１】
第８の発明は、上記第１の発明と同様に、壁部の開口部を開閉する揺動型の両開き式の第１及び第２扉を備え、両扉の揺動端部にそれぞれ両扉の閉位置で互いに密着する第１及び第２ガスケットが設けられている扉装置を対象とする。
【００４２】
そして、上記第１扉が閉位置から開動作するとき、少なくとも、該第１扉の開動作に連動して、上記第２ガスケットを上記第１ガスケットから一旦離れるように移動させる一方、上記第１扉が閉位置に閉動作するとき、該第１扉の閉動作に連動して、上記第２ガスケットを上記第１ガスケットから一旦離れた後に密着する様に移動させるガスケット移動機構を備えていることを特徴とするものである。
【００４３】
この扉装置の場合、両扉の閉位置で互いのガスケット同士が密着する方式を採用しているから、両ガスケット間の隙間を塞ぐための仕切体は不要になり、仕切体により収容スペースが減少するという問題は生じない。
【００４４】
そうして、ガスケット移動機構により、第１扉が閉位置から開動作するときには、この開動作に連動して第２扉の第２ガスケットが移動して第１扉の第１ガスケットから一旦離れる。よって、ガスケット同士の干渉（擦れ）を招くことが避けられ、第１扉の開動が円滑になる。また、逆に第１扉が閉位置に閉動作するときも、この閉動作に連動して第２ガスケットが第１ガスケットから離れるように移動し、その移動によって空いた所に第１ガスケットが収まっていくことになる。そして、第１扉が閉位置に達すると、第２ガスケットの移動が停止して元の位置に戻り、両ガスケット同士が密着した状態になる。よって、第１扉が閉じるときのガスケット同士の干渉が解消されるから、第１扉の閉動も円滑になる。
【００４５】
第９の発明は、上記第８の発明において、上記ガスケット移動機構は、上記第１扉が閉位置から開動作するとき、上記第１扉の開動作に連動して、上記第１ガスケットを上記第２ガスケットから一旦離れるように移動させる一方、上記第１扉が閉位置に閉動作するとき、上記第１扉の閉動作に連動して、上記第１ガスケットを上記第２ガスケットから一旦離れた後に密着する様に移動させることを特徴とするものである。
【００４６】
これにより、ガスケット同士の干渉防止がさらに有利となり、扉の開閉動作が一層円滑なものになる。
【００４７】
第１０の発明は、上記第９の発明において、上記ガスケット移動機構は、上記第１扉の閉位置から第１開度までの角度範囲における開閉動作に連動して上記第２ガスケットを移動させ、且つ上記第１扉の上記第１開度よりも小さい第２開度から該第１開度よりも大きい第３開度までの角度範囲における開閉動作に連動して上記第１ガスケットを移動させ、さらに、上記第１開度から上記第２開度の角度範囲では、上記第１ガスケットと上記第２ガスケットとを共に移動させることを特徴とするものである。
【００４８】
この場合、第１開度から第２開度の角度範囲では、第１ガスケットと第２ガスケットとが共に移動した状態になる。
【００４９】
したがって、第１扉が閉位置から開動作したとき、まず、第２ガスケットを第１ガスケットから離れるように移動させる。これにより、ガスケット同士の干渉が防止される。第１扉がさらに開動作して第２開度以上になると、第２ガスケットに加えて第１ガスケットも移動した状態になる。よって、ガスケット同士の干渉防止にさらに有利になる。第１扉がさらに開動作して第１開度を越えると、第２ガスケットの移動が停止して元の位置に戻り、さらに第３開度を越えると、第１ガスケットの移動も停止して元の位置に戻るようになる。
【００５０】
一方、第１扉の閉動作に伴って第１ガスケットが第２ガスケットに接近してくると（第３開度以下になると）、まず、第１ガスケットが移動する。これにより、ガスケット同士の干渉防止が図れる。第１扉が閉動作によって第１開度以下になり、第１ガスケットが第２ガスケットにさらに接近すると、第１ガスケットに加えて第２ガスケットも移動した状態になる。よって、ガスケット同士の干渉防止にさらに有利になる。第１扉がさらに閉動作して第２開度未満になると、第１ガスケットの移動が停止して元の位置に戻り、第２ガスケットの移動によって空いたスペースに第１ガスケットが収まっていくことになる。その後、第１扉が閉位置に至ると、第２側ガスケットの移動が停止して元の位置に戻り、ガスケット同士が密着することになる。
【００５１】
第１１の発明は、上記第９又は第１０の発明において、上記ガスケット移動機構は、上記両扉各々に設けられた一対のアームと、上記壁部の開口部側に設けられた揺動カムとを備えてなる。
【００５２】
そして、上記両扉が閉状態にあるとき、上記揺動カムは中立位置にあり且つ上記両アームの先端部が上記揺動カムに両側から接触している。
【００５３】
さらに、上記揺動カムの両側には、上記第１扉の開閉動作に伴う第１扉側アームの変位によって当該揺動カムを介して第２扉側アームが変位し、該変位によって上記第２ガスケットが押動されて移動された状態になるように、上記両アーム各々が接触するカム面が設けられていることを特徴とするものである。
【００５４】
この場合、第１扉が閉位置から開動作すると、それに伴って、第１扉側アームが扉開方向へ変位していく。この変位に伴って、揺動カムが回動し、この揺動カムの回動によって、第２扉側アームが変位して第２ガスケットが押動されて移動した状態になる。第１扉の更なる開動作によって第１扉側アームが揺動カムから外れると、揺動カムは中立位置に戻り、第２扉側アームも元の位置に戻る。すなわち、第２ガスケットへの押動が停止する。
【００５５】
一方、第１扉が閉位置に向かって閉動作するときは、第１扉側アームが揺動カムに接触すると、揺動カムの回動に伴って第２扉側アームが変位し、第２ガスケットが押動されて移動した状態になる。第１扉が閉位置まで閉動作すると、揺動カムは中立位置に戻り、第２扉側アームも元の位置に戻る。すなわち、第２ガスケットの押動が停止して、ガスケット同士が密着した状態になる。
【００５６】
この場合、第１扉の開閉動作ばかりでなく、さらに第２扉の開閉動作に伴って第１ガスケットを移動させるように構成されている。
【００５７】
第１２の発明は、上記第１０の発明において、上記ガスケット移動機構は、上記両扉各々に設けられた一対のアームと、上記壁部の開口部側に設けられた揺動カムと、該揺動カムよりも扉寄りに設けられた固定ガイドとを備えている。
【００５８】
また、上記両扉が閉状態にあるとき、上記揺動カムは中立位置にあり且つ上記両アームの先端部が上記揺動カムに両側から接触している。そうして、この揺動カムの両側には、第１扉の閉位置から上記第１開度までの角度範囲における開閉動作に伴う第１扉側アームの変位によって当該揺動カムを介して他方のアームが変位し、該変位によって第２ガスケットが押動されて移動した状態になるように、上記両アーム各々が当接するカム面が設けられている。
【００５９】
一方、上記固定ガイドの両側には、第１扉の上記第２開度から第３開度までの角度範囲での開閉時に第１扉側アームが変位して第１ガスケットが押動されて移動した状態になるように、両アーム各々の先端部が接触するガイド面が設けられている。
【００６０】
したがって、この発明では、第１扉が閉位置から開動し、第１扉側アームが扉開方向へ変位していくと、揺動カムが回動することにより、第２扉側アームが変位し、第２ガスケットが押動されて移動した状態になる。第１扉の開度が第２開度を越えると、第１扉側アームが揺動カムと固定ガイドとに接触した状態になる。よって、第２ガスケットに加えて第１ガスケットも押動されて移動した状態になる。第１扉の開度が第２開度よりも大きな第１開度を越えると、第１扉側アームは揺動カムから離れて固定ガイドのみに接触した状態になる。これにより、揺動カムは中立位置に戻り、第２扉側アームも元位置に戻る。すなわち、第２ガスケットの押動が停止する。その後、第１扉の開度が第３開度を越えると、第１扉側アームは固定ガイドから離れ、第１ガスケットの押動が停止した状態になる。
【００６１】
一方、第１扉が閉位置に向かって閉動するときは、第１扉の開度が第３開度以下になると、第１扉側アームが固定ガイドに接触し、第１扉の閉動に伴って第１扉側アームが変位する。これにより、第１ガスケットが押動される。第１扉の開度が第１開度以下になると、第１扉側アームが揺動カムと固定ガイドとに接触した状態になる。よって、第１扉側アームだけでなく、第２扉側アームも変位するため、第１ガスケットに加えて第２ガスケットも押動されて移動した状態になる。第１扉の開度が第１開度よりも小さい第２開度未満になると、第１扉側アームは固定ガイドから離れて揺動カムのみに接触した状態になる。すなわち、第１ガスケットの押動が解除され、第２ガスケットのみが押動されて移動した状態になる。第１扉が閉位置まで閉動すると、揺動カムは中立位置に戻り、第２扉側アームも元位置に戻る。すなわち、第２ガスケットの押動が停止し、ガスケット同士が密着した状態になる。
【００６２】
この場合、第１扉ばかりでなく、さらに第２扉の開閉動作に伴って第１及び第２ガスケットを共に移動させるように構成されている。
【００６３】
第１３の発明は冷蔵庫に係り、この冷蔵庫は上記第１乃至第１２のいずれか一の発明の扉装置を備えている。
【００６４】
上記扉装置の作用効果を、冷蔵庫において得ることができる。
【発明の効果】
【００６５】
本発明によれば、壁部の開口部を開閉する揺動型の両開き式の第１及び第２扉を備え、両扉の揺動端部に両扉の閉位置で互いに密着する第１及び第２ガスケットがそれぞれ設けられている扉装置において、第１扉の開閉動に連動して、閉状態にある第２扉のガスケットを移動させるようしたから、収容スペース減少の問題を招くことなく、第１扉を円滑に開閉することができる。
【図面の簡単な説明】
【００６６】
【図１】本発明の第１の実施形態に係る冷蔵庫を一部省略して示す横断面図である。
【図２】扉装置のガスケット移動機構を一部省略して示す拡大横断面図である。
【図３】ガスケット移動機構における扉の開度の説明図である。
【図４】第２扉が若干開いた状態を示す図２相当図である。
【図５】第２扉の開度が大きくなった状態を示す図２相当図である。
【図６】第２扉の開度がさらに大きくなった状態を示す図２相当図である。
【図７】本発明の第２の実施形態に係る冷蔵庫を一部省略して示す横断面図である。
【図８】ガスケット移動機構のうちの、第１ガスケット移動機構の構造を一部省略して示す拡大横断面図である。
【図９】第１扉が開いたときの第１ガスケット移動機構の状態を示す図８相当図である。
【図１０】ガスケット移動機構のうちの、第２ガスケット移動機構の構造を一部省略して示す拡大横断面図である。
【図１１】第１扉が開いたときの第２ガスケット移動機構の状態を示す図１０相当図である。
【図１２】ガスケット移動機構の構造を示す分解斜視図である。
【図１３】扉装置のガスケット保持部材の取付構造を示す分解斜視図である。
【発明を実施するための形態】
【００６７】
以下、本発明を実施するための形態を図面に基づいて説明する。以下の好ましい実施形態の説明は、本質的に例示に過ぎず、本発明、その適用物或いはその用途を制限することを意図するものではない。
＜第１の実施形態＞
以下で説明する第１の実施形態は、請求項８乃至１３の発明に係るものである。
【００６８】
図１において、１は第１の実施形態に係る冷蔵庫であって、この冷蔵庫１は、前壁部の全体に開口部２が形成された矩形箱状の冷蔵庫本体６を備え、その開口部２には揺動型で両開き式の扉装置３が設けられている。すなわち、扉装置３の左扉を成す第１扉４、及び右扉を成す第２扉５は、冷蔵庫本体６の開口部２の左右両側縁に上下方向に延びる軸心を有するヒンジ１０にてそれぞれ揺動自在に枢支されている。第１及び第２扉４，５の揺動端部には、両扉４，５が閉位置にあるとき、互いの対向する側面が密着する第１及び第２ガスケット７，８がそれぞれ設けられている。第１及び第２ガスケット７，８は第１及び第２扉４，５の当該側縁に沿って上下方向に延びている。扉装置３は、第１及び第２扉４，５の開閉時に第１及び第２ガスケット７，８を互いに離れるように移動させるガスケット移動機構９を備えている。
【００６９】
図２に示すように、第１及び第２ガスケット７，８の各々は、中空状の変形可能なガスケット本体１１と、マグネット１２を保持したマグネットホルダー１３とを備えてなる。ガスケット本体１１は、ゴム、軟質樹脂等の可撓性を有する軟質材で形成されていて、ガスケット長手方向に延びる取付用の楔形アンカー１４を有する。ガスケット本体１１は、扉４，５の側縁の内側に形成された切欠き部１５に装着されて、上記対向する側面が扉４，５の側面より突出している。アンカー１４は、切欠き部１５に形成された嵌合溝１６に嵌められている。
【００７０】
マグネットホルダー１３は、硬質樹脂等の硬質材によって形成されていて、ガスケット本体１１の上記対向する側面側に設けられている。マグネットホルダー１３は、ガスケット本体１１の側面の略全体にわたって広がる板状に形成され且つガスケット長手方向に延びている。ガスケット本体１１とマグネットホルダー１３とは一体になっていて、マグネット１２及びマグネットホルダー１３の側面はガスケット本体１１を形成する軟質材の皮膜で覆われている。
【００７１】
ここに、マグネット１２及びマグネットホルダー１３は、第１及び第２ガスケット７，８の上記対向する側面側において剛体部を構成し、ガスケット本体１１は当該剛体部の背部においてクッション部を構成している。
【００７２】
ガスケット移動機構９は、冷蔵庫１の開口部２の上側及び下側の壁部に設けられており、両扉４，５の上端及び下端において各々の第１及び第２ガスケット７，８より庫内側に向けて突出した一対のアーム２１，２２と、冷蔵庫本体６の開口部２周縁を構成する上縁及び下縁各々の中央に設けられた揺動カム２３と、該揺動カム２３よりも扉寄りに設けられた左右の固定ガイド２４とを備えてなる。図１乃至６は、冷蔵庫１の下側のガスケット移動機構９を示す。
【００７３】
アーム２１，２２は、第１及び第２ガスケット７，８各々のマグネットホルダー１３と一体になっている。一方のアーム２１は略Ｌ字状に形成され、他方のアーム２２は略逆Ｌ字状に形成されており、各々の先端部は円弧状に形成されている。
【００７４】
揺動カム２３は、冷蔵庫本体６に上下方向の軸２５によって、その周りに揺動可能に支持されている。本例の揺動カム２３は、その中央部がくびれた鼓状をなし、この両側のくびれ部にアーム２１，２２の先端部が接触する円弧状のカム面２３ａ，２３ｂが形成されている。
【００７５】
揺動カム２３の軸２５には、揺動カム２３を回転中立位置に付勢するためのねじりコイルバネ２６が巻き付けられている。このコイルバネ２６の両端部２６ａ，２６ａは、揺動カム２３に一体に設けられた円弧状の当接部２７の両端と、冷蔵庫本体６に設けられた一対の係止部２８，２９とに弾接している。
【００７６】
固定ガイド２４は、冷蔵庫本体６に固定した上下方向に延びる一対のピンによって形成されていて、両ピンの両外側面が、アーム２１，２２の先端部が接触する円弧状のガイド面２４ａ，２４ｂに形成されている。なお、本例では、一対のピンで固定ガイド２４を形成したが、揺動カム２３の庫外側の面に沿って延びる横長の固定ガイドを冷蔵庫本体６に設け、該固定ガイドの両端にガイド面を形成してもよい。
【００７７】
上記ガスケット移動機構９は、一対のアーム２１，２２と揺動カム２３とによって、両扉４，５のいずれか一方の扉、例えば第１扉４が開くとき、この第１扉４の開動作に連動して、閉状態にある第２扉５の第２ガスケット８を第１扉４の第１ガスケット７から一旦離れるように押動して移動させる一方、この第１扉４が閉位置に閉動作するとき、該第１扉４の閉動作に連動して、第２ガスケット８を第１ガスケット７に対し一旦離れた後に密着するように押動して移動させる。
【００７８】
また、このガスケット移動機構９は、一対のアーム２１，２２と固定ガイド２４とによって、例えば第１扉４の開閉動に連動して、第１ガスケット７を第２ガスケット８から離れるように押動して移動させる。
【００７９】
図３に示すように、ガスケット移動機構９は、第１扉４の閉位置から第１開度までの第１角度範囲において、この第１扉４の開閉動に連動して第２ガスケット８を押動する。その上、このガスケット移動機構９は、第１扉４の第２開度から第３開度までの第２角度範囲において、第１扉４の開閉動に連動して第１ガスケット７も押動する。第２開度は第１開度よりも小さく、第３開度は第１開度よりも大きい。よって、第２開度から第１開度の角度範囲では、第１ガスケット７と第２ガスケット８とを共に押動して移動させる。
【００８０】
ここでは、冷蔵庫１の第２扉５が閉じられた状態で第１扉４が開閉する場合を例に取り説明したが、第１扉４が閉じられた状態で第２扉５が開閉する場合についても同様である。以下の記載では、便宜上、冷蔵庫１の第１扉４が閉じられた状態で第２扉５が開閉される場合についてガスケット移動機構９を具体的に説明する。
【００８１】
図２に示すように、両扉４，５が閉状態にあるとき、揺動カム２３は中立位置にあり、両アーム２１，２２の先端部が揺動カム２３のカム面２３ａ，２３ｂに両側から接触している。図４に示すように、第２扉５の閉位置からの開動作に伴って第２扉側アーム２２が庫外側に向かって変位すると、第２扉側アーム２２が揺動カム２３のカム面２３ｂを摺動することにより、揺動カム２３が図で時計回り方向に回動する。この揺動カム２３の回動に伴って、第１扉側アーム２１は、揺動カム２３のカム面２３ａに押されて第１扉４のヒンジ１０の方である左側へ変位する。その結果、第１ガスケット７は、剛体部を構成するマグネットホルダー１３が第１扉４のヒンジ１０の方へ押され、クッション部を構成するガスケット本体１１が圧縮された状態になる。
【００８２】
すなわち、第１ガスケット７は、第２ガスケット８から離れるように押動されて移動した状態になる。図４の鎖線は押動変位前の第１ガスケット７の位置を示す。
【００８３】
第２側アーム２２と揺動カム２３のカム面２３ｂとは、第２扉５の開度が図３に示す第１角度範囲にあるときに、互いに接触するように配置されている。よって、第２扉５が第１角度範囲において開閉動作するとき、この開閉動作に連動して第１ガスケット７が押動されて移動することになる。
【００８４】
第２扉５の開動作が進むと、図５及び図６に示すように、第２扉側アーム２２は、固定ガイド２４のガイド面２４ｂに接触し、該ガイド面２４ｂを乗り越えるために、第２扉５のヒンジ１０の方へ変位する。その結果、第２ガスケット８は、剛体部を構成するマグネットホルダー１３が第２扉５のヒンジ１０の方である右側へ押されて移動し、クッション部を構成するガスケット本体１１が圧縮された状態になる。
【００８５】
すなわち、第２ガスケット８は、第１ガスケット７から離れるように押動された状態になる。図５及び図６の鎖線は押動変位前の第２ガスケット８の位置を示す。
【００８６】
第２扉側アーム２２と固定ガイド２４のガイド面２４ｂとは、第２扉５の開度が図３に示す第２角度範囲にあるときに、互いに接触するように配置されている。よって。第２扉５が第２角度範囲において開閉動作するとき、この開閉動に連動して第２ガスケット８が押動されて移動することになる。
【００８７】
第２扉５の開度が図３に示す第１開度と第２開度との角度範囲にあるときは、第２扉側アーム２２が揺動カム２３のカム面２３ｂ及び固定ガイド２４のガイド面２４ｂの両者に接触した状態になるから、第１及び第２ガスケット７，８が共に各々のヒンジ１０側に押動された状態になる。
（第１の実施形態に係るガスケット移動機構の作動，及びガスケットの動作）
以下、先の説明と一部重複するが、第２扉５が閉位置から開くときと、閉位置に閉じるときの第１の実施形態に係るガスケット移動機構９の作動、並びに第１及び第２ガスケット７，８の動きを説明する。
【００８８】
（第２扉開動時）
第１及び第２扉４，５が閉位置にあるときは、この第１及び第２扉４，５の各々に設けられた第１及び第２ガスケット７，８は、互いのマグネット１２同士の吸引力により密着している。
【００８９】
第２扉５が閉位置から開動していくと、先に述べたように（図４に示すように）、第２扉側アーム２２の庫外側への変位に伴って揺動カム２３が回動し、第１扉側アーム２１が第１扉４のヒンジ側に変位する。第１扉側アーム２１はマグネットホルダー１３と一体になっているから、第１扉側アーム２１の変位に伴って、マグネットホルダー１３は、その庫外側の端部付近が支点となってヒンジ１０側に傾く。このマグネットホルダー１３の傾動は、ガスケット本体１１がクッション部となって圧縮することにより許容される。
【００９０】
マグネットホルダー１３の上記傾動によって、第１ガスケット７のマグネット１２が第２ガスケット８のマグネット１２から離れる。すなわち、第１ガスケット７が第１扉４のヒンジ１０側に押動された状態になり、第１及び第２ガスケット７，８間の密着が解除される。これにより、第２扉５は、第１及び第２ガスケット７，８間の擦れを招くことなく、円滑に開動することができる。
【００９１】
第２扉５の開度が第２開度を超えると、図５に示すように、第２扉側アーム２２は、固定ガイド２４のガイド面２４ｂに接触して第２扉５のヒンジ１０側に変位する。この変位に伴って、揺動カム２３は中立位置側へ少し戻る。しかし、第２扉５の開度が第１開度と第２開度との間にあるときは、第２扉側アーム２２は揺動カム２３にも接触しているから、第１扉側アーム２１も変位した状態になっている。すなわち、第２扉側アーム２２及び第１扉側アーム２１が共に変位しているから、第２ガスケット８及び第１ガスケット７が共に各々のヒンジ１０側に押動されて移動した状態になる。
【００９２】
よって、仮に扉装置３の各部に寸法バラツキや組付誤差があっても、或いはヒンジ１０部分に経年変化による多少のガタを生じても、第１及び第２ガスケット７，８間の擦れ防止が図られ、ひいては第２扉５の円滑な開動が図られる。特に、本実施形態の構造では、第１ガスケット７の庫外側の端の押動変位が小さいが、第２ガスケット８の庫内側部分がヒンジ側に変位するから、上述のガタ等があっても、第２ガスケット８の庫内側の端が第１ガスケット７の庫外側の端に接触することが避けられる。
【００９３】
第２扉５の開度が第１開度を越えると、図６に示すように、第２扉側アーム２２は固定ガイド２４のみに接触した状態になる。その結果、揺動カム２３が中立位置に復帰し、第１扉側アーム２１の変位が零になる。すなわち、第１ガスケット７の押動変位が零になる。一方、第２扉側アーム２２は、固定ガイド２４のガイド面２４ｂを乗り越えるべく、第２扉５のヒンジ側に大きく変位する。よって、第２ガスケット８の押動変位も大きくなり、第１ガスケット７に干渉することが避けられる。
【００９４】
第２扉５の開度が第３開度を超えると、第２扉側アーム２２は固定ガイド２４から離れて変位が零になる。したがって、第２ガスケット８の押動変位も零になる。
【００９５】
（第２扉閉動時）
第２扉５が閉じていき、その開度が第３開度以下になると、第２扉側アーム２２が固定ガイド２４に接触して第２扉５のヒンジ側に変位することにより、第２ガスケット８が第２扉５のヒンジ側に押動された状態になる（図６）。これにより、第２ガスケット８が第１ガスケット７から離れる様に移動するため、ガスケット７，８同士の干渉が避けられる。
【００９６】
第２扉５の開度が第１開度以下になると、第２扉側アーム２２は固定ガイド２４に加えて揺動カム２３にも接触した状態になる（図５）。よって、第２扉側アーム２２及び第１扉側アーム２１が共に変位し、第２ガスケット８及び第１ガスケット７が共に各々のヒンジ１０側に押動された状態になる。よって、第１ガスケット７が押動されて空いたスペースに第２ガスケット８が収まっていくことになる。これにより、第２ガスケット８と第１ガスケット７との干渉が避けられる。
【００９７】
第２扉５の開度が第２開度よりも小さくなると、第２扉側アーム２２は固定ガイド２４から離れて揺動カム２３のみに接触した状態になる（図４）。したがって、第１扉側アーム２１の変位及び第１ガスケット７の押動状態は続き、その押動によって空いたスペースに第２ガスケット８が収まっていく。その後、第２扉５が閉位置になると、揺動カム２３が中立位置に復帰する。したがって、第１ガスケット７の押動が解除されて、第１ガスケット７と第２ガスケット８とが密着する。
（第１の実施形態に係る変形例）
上記説明は冷蔵庫１の左扉４が閉じられた状態で右扉５が開閉される場合であるが、勿論、右扉５が閉じられている状態で左扉４が開閉される場合も同様である。
【００９８】
上記実施形態では、第１及び第２ガスケット７，８を圧縮変位させるようにしたが、ガスケットを扉に枢支し且つ扉側方へ突出するように（ガスケット同士が密着する方向に）付勢しておき、当該付勢に抗して、ガスケット移動機構９によりガスケットを押動変位させるようにしてもよい。
【００９９】
また、上記実施形態では、アーム２１，２２の先端部を揺動カム２３及び固定ガイド２４に摺動させるようにしたが、アームの先端にローラを設けて、ローラが揺動カム２３及び固定ガイド２４を転動するようにしてもよい。
＜第２の実施形態＞
以下で説明する第２の実施形態は、特に請求項１乃至７、及び請求項１３の発明に係るものである。
【０１００】
図７において、１は前壁部の全体に開口部２が形成された冷蔵庫本体６を有する、第２の実施形態に係る冷蔵庫であって、第１の実施形態と同様に、その開口部２には揺動型で両開き式の扉装置３が設けられている。すなわち、扉装置３の左扉を成す第１扉４、及び右扉を成す第２扉５は、冷蔵庫本体６の開口部２の両側縁にヒンジ１０，１０にてそれぞれ揺動自在に枢支されている。第１及び第２扉４，５の揺動端部には、両扉４，５が閉位置にあるとき、互いの対向する側面が密着する第１及び第２ガスケット７，８がそれぞれ設けられている。第１及び第２ガスケット７，８は第１及び第２扉４，５の当該側縁に沿って高さ方向（上下方向とも記載）に延びている。扉装置３は、第１及び第２扉４，５の開閉時に第１及び第２ガスケット７，８を互いに接離するように移動させるガスケット移動機構９を備えている。このガスケット移動機構９は、第１及び第２扉４，５のいずれか一方の開閉時に第１ガスケット７を第２ガスケット８に対し移動させる第１ガスケット移動機構９Ａと、第１及び第２扉４，５のいずれか一方の開閉時に第２ガスケット８を第１ガスケット７に対し移動させる第２ガスケット移動機構９Ｂとを備えてなるものである。
【０１０１】
第１及び第２ガスケット７，８の各々は、中空状の変形可能なガスケット本体１１，１１と、マグネット（図示せず）を保持したマグネットホルダー（図示せず）とを備えてなる。このガスケット本体１１は、ゴム、軟質樹脂等の可撓性を有する軟質材で形成されていて、ガスケット長手方向に延びる取付用の楔形アンカー（図示せず）を有する。第１及び第２扉４，５に設けられるガスケット本体１１，１１は、両扉４，５の側縁に沿って上下に延びるように形成されていて、該側縁の内側に後述する揺動軸３３，３４により枢支された略矩形薄板部からなるガスケット保持部材１７，１７に装着されている。
【０１０２】
図１３に示すように、例えば、第２扉５に設けられるガスケット保持部材１７は、この第２扉５の前面側に位置する幅方向一端側を基端部とする一方、後面側に位置する幅方向他端側を揺動端部とするように軸支されている。ガスケット保持部材１７における、基端部側には、第２揺動軸３４を挿し通して固定するための挿通孔１７ｂが設けられている。この第２揺動軸３４は、第２扉５の上部に支持されているものであり、第２扉５の揺動軸心方向に沿って延びるように備えられ、さらに、第２扉５の上面を貫通して上方に向けて突出している。
【０１０３】
さらに、ガスケット保持部材１７の側面部のうち、両扉４，５が閉位置にあるとき相手側のガスケット保持部材１７に対向する一面には、第２扉５に沿って高さ方向に延びる凹条からなる嵌合溝１７ａが形成されており、この嵌合溝１７ａに第２ガスケット８の楔形アンカーを嵌め込んだ状態で、挿通孔１７ｂに第２揺動軸３４を挿し通して固定することによって、ガスケット保持部材１７と第２ガスケット８とが第２扉５の揺動軸心方向に沿って一体的に揺動するようになっている。なお、ここでは第２扉５について例示したが、第１扉４におけるガスケット保持部材１７の枢支構造と、このガスケット保持部材１７への第１ガスケット７の取付構造も全く同様である。また、第１扉４の上部にも、第１扉４の揺動軸心方向に沿って延びるように備えられ、第１扉４の上面を貫通して上方に向けて突出する第１揺動軸３３が支持されている。
【０１０４】
よって、第１扉４側のガスケット保持部材１７と第２扉５側のガスケット保持部材１７とで、各々の揺動端部を互いに接近させるように揺動軸３３，３４周りに回動させることによって、第１及び第２ガスケット７，８の上記対向する側面（両扉４，５が閉位置にあるとき、互いの対向する側面）が扉４，５の側面から突出し、第１ガスケット７と第２ガスケット８とが互いに接近ないし接触するようになっている。
【０１０５】
マグネットホルダーは、第１の実施形態と同様に、ガスケット本体１１，１１の上記対向する側面（両扉４，５が閉位置にあるとき、互いの対向する側面）側に設けられている。このマグネットホルダーは、ガスケット本体１１，１１の側面の略全体にわたって広がる板状に形成され且つガスケット長手方向に延びている。ガスケット本体１１，１１とマグネットホルダーとは一体になっていて、このマグネットホルダーにマグネット（図示せず）を挿し通して保持させることにより、ガスケット本体１１，１１とマグネットとを一体的に動作させるようになっている。
【０１０６】
両扉４，５が閉位置にあるとき、それぞれのガスケット保持部材１７，１７の揺動端部を回動させて第１ガスケット７と第２ガスケット８とを互いに接近させることによって、各々のマグネットで互いに吸着させ、これにより、第１ガスケット７と第２ガスケット８とが互いに密着し、両ガスケット７，８の間をシールするようになっている。
【０１０７】
なお、図１０に示すように、上記ガスケット本体１１，１１は、第１及び第２扉４，５の前後方向略中央部から前面側（揺動軸３３，３４側）に向かうに連れて、各扉４，５のヒンジ１０，１０側に向かうように曲成されている。このように構成することによって、第１及び第２ガスケット７，８は、両扉４，５が閉位置にあるとき、各扉の該中央部から後面側にかけての領域で互いに密着する一方、揺動軸３３，３４側では互いに離隔するようになっている。
【０１０８】
本実施形態では、ガスケット移動機構９は、冷蔵庫１の上側に設けられている。このガスケット移動機構９は、両扉４，５の上端において各々のガスケット保持部材１７と一体的に揺動する第１及び第２ラッチ３１，３２と、これら第１及び第２ラッチ３１，３２の揺動端部３１ｂ，３２ｂを互いに離隔させる方向に回動付勢するねじりコイルバネ等からなる第１及び第２ラッチ付勢手段（図示せず）と、冷蔵庫本体６の開口部２の上縁部中央に設けられた第１及び第２揺動カムとしての第１及び第２シーソーカム４１，４２と、これら第１及び第２シーソーカム４１，４２をそれぞれ異なる方向に回動付勢している第１及び第２揺動カム付勢手段としての第１及び第２シーソーカム付勢手段（図示せず）とを備えている。図８乃至１３はこのガスケット移動機構９の構成及び作動を示すものであり、第１ラッチ３１と第１ラッチ付勢手段と、第１シーソーカム４１と、第１シーソーカム付勢手段とが第１ガスケット移動機構９Ａを構成し、第２ラッチ３２と第２ラッチ付勢手段と、第２シーソーカム４２と、第２シーソーカム付勢手段とが第２ガスケット移動機構９Ｂを構成する。
【０１０９】
図８、図９及び図１２を用いて第１ガスケット移動機構９Ａの構成を説明する。
【０１１０】
図８に示すように、第１扉４の上端側側縁部には、この第１扉４の前後方向に沿って延びる略薄箱状の第１ラッチケース３７が形成され、この第１ラッチケース３７は、その第１扉４の後面と上記対向する側面（両扉４，５が閉位置にあるとき、第２扉５に面する側面）とがそれぞれ開口している。
【０１１１】
上記第１ラッチ３１は、第１ラッチケース３７の内部に揺動可能に支持されている。本例の第１ラッチ３１は、第１ラッチケース３７の長手方向（すなわち、第１扉４の前後方向）に沿って延びる、略矩形断面を有し、その第１扉４の前面側に位置する端部側には上記第１揺動軸３３が回動一体に挿通されて固定され、この第１揺動軸３３周りに揺動することで後面側に位置する一端部が揺動端部３１ｂとなっている。このとき、第１扉４の上面を貫通する上記第１揺動軸３３が揺動軸として第１ラッチ３１に挿通されているため、この第１ラッチ３１とガスケット保持部材１７と第１ガスケット７とが、第１扉４の揺動軸心方向に沿って一体的に揺動するようになっている。
【０１１２】
上記構成から、両扉４，５が閉位置にあるとき、第１ラッチ３１の揺動端部３１ｂを第１扉４のヒンジ１０側（以下では、第１扉４の外側とも記載される）から第１ラッチケース３７の側面開口部（以下では、第１扉４の内側とも記載される）に向かうように、図８における時計回り方向に回動させることによって、第１ガスケット７を第２ガスケット８に対して接近させるようにしている。このとき、第１ラッチ３１の揺動端部３１ｂが、第１ラッチケース３７の側面開口部から僅かに突出するようになっている。
【０１１３】
同様に、この揺動端部３１ｂを第１扉４の内側から外側に向かうように、図８における反時計回り方向に回動させることによって、第１ガスケット７を第２ガスケット８から離れるように移動させることもできる。このとき、第１ラッチ３１の基端部が、第１ラッチケース３７の側面開口部から僅かに突出するようになっている。
【０１１４】
また、第１ラッチ３１が第１扉４の外側に向けて回動して所定の開度に至ったときに、第１ラッチ３１の周壁部と第１ラッチケース３７の内壁部とが当接して第１ラッチ３１の過度の回動を防止するように構成されている。
【０１１５】
さらに、第１ラッチ３１の長手方向側面部のうち、第１扉４の外側に向けて面する一側面部には、その長手方向中央部から揺動端部３１ｂに向かうにつれて、第１扉４の外側から内側に向かうように曲がる略円弧状の第１摺接面３１ａが形成されている。
【０１１６】
第１ラッチ３１の揺動軸としての第１揺動軸３３には、上記の如く、第１ラッチ３１が第１扉４の内側から第１扉４の外側に向かう方向に回動付勢する第１ラッチ付勢手段が設けられている。この第１ラッチ付勢手段は、例えばねじりコイルバネ等の公知のものから成り、第１揺動軸３３に巻き付けられて固定されている。
【０１１７】
また、図１２に示すように、冷蔵庫本体６の開口部２の上縁部中央には、閉位置にある両扉４，５の後面に向けて開口する薄箱状のカムケース４６が設けられている。このカムケース４６は、ネジ止め等により冷蔵庫本体６に一体的に固定されており、その内部には、第１及び第２シーソーカム４１，４２が設けられている。
【０１１８】
具体的には、カムケース４６には、その上面から下面に亘って高さ方向に延びるカム軸４３が挿通され、このカム軸４３に上記第１及び第２シーソーカム４１，４２が各々の中央部に挿し通されており、このカム軸４３によって、両シーソーカム４１，４２が同軸で高さ方向に並ぶように配設され、且つ互いに干渉せずに独立して揺動するように枢支されている。また、カム軸４３は、第１揺動軸３３に沿って、これと平行になるように配設されている。
【０１１９】
また、図１２及び図１３に示すように、このカムケース４６の後面中央部には、前方に向けて突出し、且つ高さ方向に沿って延びる突部４６ａが形成されている。
【０１２０】
本実施形態では、カムケース４６の高さ方向上側に第１シーソーカム４１が配設され、高さ方向下側に第２シーソーカム４２が配設されている。
【０１２１】
図８に示すように、この実施形態に係る第１シーソーカム４１は、カム軸４３が挿し通された中央部から、両端部の揺動端部に向かってそれぞれ略扇形に広がる薄板状に形成されている。
【０１２２】
上記揺動端部の前側部には、両扉４，５がいずれも閉位置にあるとき、第２扉５の後面に沿って平行に延びて、該後面に押圧される第１押圧面４１ｂと、第１ラッチケース３７の後面開口部から該ラッチケース３７に入り込んで、第１ラッチ３１の第１摺接面３１ａに摺接するように延びる第１カム面４１ａとがそれぞれ設けられている。
【０１２３】
具体的には、第１カム面４１ａ及び第１押圧面４１ｂは、それぞれ、第１シーソーカム４１の両端部の揺動端部に向かって広がる略扇形形状の前側側面部のうち、閉位置にある第１扉４の後面に面する一方と、閉位置にある第２扉５の後面に面する他方とで構成されている。
【０１２４】
第１押圧面４１ｂと第１カム面４１ａとは連続している。そして、両扉４，５がいずれも閉位置にあるとき、第１カム面４１ａは、第１シーソーカム４１の中央部から第１扉４側の揺動端部に向かうにつれて、庫内側から庫外側に向かうように傾斜している。ゆえに、第１カム面４１ａは、上記閉位置にあるとき、第１ラッチケース３７の後面開口部から側面開口部に向かう方向に略垂直な面に沿って延びている。
【０１２５】
上記略扇形形状は、いずれもカム軸４３から見て略同径となるように形成されているが、非対称な形状となるように形成されている。すなわち、第１押圧面４１ｂと第１カム面４１ａとは連続しており、それぞれ略扇形形状の側面部として設けられるものであるが、それらの境界の位置が、第１シーソーカム４１の中央部から見て、冷蔵庫本体６の幅方向について第１扉寄りに設けられている。そのため、第１摺接面３１ａの略半径方向に沿った長さが、第１カム面４１ａの略半径方向に沿った長さよりも長くとられている。
【０１２６】
図８に示すように、第２扉５が閉位置にあるとき、第２扉５の後面と、この後面から押圧される第１押圧面４１ｂとが干渉することによって、第１シーソーカム４１の略時計回り方向への回動を規制するように構成されている。この回動方向は、第１シーソーカム４１の揺動端部としての両端部のうち、第１押圧面４１ｂを有する端部が庫内側から庫外側に向かい、第１カム面４１ａを有する端部が庫外側から庫内側に向かうように回動する方向に相当する（以下では、単に時計回り方向とも記載）。
【０１２７】
この規制状態の場合、第１押圧面４１ｂは、第２扉５の後面からの押圧によってカムケース４６に没入すると共に、第１カム面４１ａが、第１扉４の後面側から該第１扉４の内側に向かうようにカムケース４６から突出した状態に保持され、第１扉４も閉位置にあるとき、このカムケース４６から突出する第１カム面４１ａが、第１ラッチケース３７の後面開口部から該ケース３７に入り込んで、第１ラッチ３１の第１摺接面３１ａに接触するように構成されている。そして、上記の様に、この第１摺接面３１ａは、第１ラッチ３１の長手方向側面部のうち第１扉４の外側に向けて面する一側面部に設けられている。ゆえに、上記のような接触によって、第１カム面４１ａは、第１ラッチ３１が第１扉４の外側に向かおうとする回動を規制すると共に、該第１ラッチ３１を第１扉４の内側に向けて押し動かして、第１ガスケット７が第２ガスケット８に対し接近するように移動させ、且つその位置を保持するように構成されている。
【０１２８】
すなわち、両扉４，５が共に閉位置にあるとき、第１ラッチ３１が第１ラッチ付勢手段の回動付勢力に従って第１カム面４１ａを押動して、第１シーソーカム４１を時計回り方向に回動させようとする。しかし、上記のように、第２扉５による押圧が第１シーソーカム４１の時計回り方向への回動を許容しない状態にある。ゆえに、第１カム面４１ａを介して第１シーソーカム４１と接触する第１ラッチ３１の回動も許容されず、第１ガスケット７を第２ガスケット８に対し接近させた状態のままに保持されるようになっている。
【０１２９】
一方、第２扉５が閉位置から開いて第１シーソーカム４１の時計回り方向への回動が許容されるとき、第１シーソーカム４１の該方向への回動に伴って、第１カム面４１ａが第１扉４の内側から後面側に向かうように回動してカムケース４６に没入すると共に、第１押圧面４１ｂの先端側がカムケース４６から第２扉５の後面に向けて突出するように構成されている。
【０１３０】
上記カム軸４３には、上記の如く、この第１シーソーカム４１を時計回り方向に回動付勢する付勢力を与える第１シーソーカム付勢手段が設けられている。この第１シーソーカム付勢手段は、例えばねじりコイルバネ等の公知のものから成り、カム軸４３に巻き付けられて固定されている。
【０１３１】
また、第１シーソーカム４１が所定の角度まで回動したとき、この第１シーソーカム４１の後側部４１ｃとカムケース４６の突部４６ａとが当接するように構成されている。この当接によって、第１シーソーカム４１の時計回り方向及び反時計回り方向への過度の回動を防止するようになっている。
【０１３２】
また、上記第１カム面４１ａと第１摺接面３１ａとは、第２扉５が閉位置にある状態での第１扉４の開閉動作、又は第１扉４が閉位置にある状態での第２扉５の開閉動作によって、互いに摺接及び接離する。そして、この摺接及び接離によって、第１ラッチ３１の付勢方向（反時計回り方向又は第１扉４の外側に向かう方向とも記載）への回動を許容するスペースの大きさが増減するようになる。
【０１３３】
例えば、図９に示すように、第２扉５が閉位置にある状態で第１扉４が開くとき、第１扉４の開動作に伴って、第１カム面４１ａが第１ラッチケース３７から抜け出していく。第１カム面４１ａは、第１ラッチケース３７の後面開口部から側面開口部に向かう方向に略垂直な面に沿って延びているものであり、その上、後面開口部側から第１ラッチケース３７に入り込んでいることから、図８及び９から見て取れるように、第１カム面４１ａの抜けだしに伴って、第１ラッチケース３７内部において、第１摺接面３１ａが面する側のスペース、すなわち、第１ラッチ３１が付勢方向に回動するスペースが増大するようになっている。このようにして増大したスペースの分だけ、第１ラッチ３１の該方向への回動が許容されるようになる。このとき、第１ラッチ３１は、第１ラッチ付勢手段による付勢力に従って、第１ラッチケース３７から抜け出していく第１カム面４１ａに沿って、それと摺接しながら回動する。
【０１３４】
一方で、第１扉４が閉じるときには、第１扉４の閉動に伴って、第１カム面４１ａが第１扉４の第１ラッチケース３７内に入り込んでいく。これによって、第１摺接面３１ａが第１カム面４１ａに摺動するばかりでなく、第１カム面４１ａが入り込んだ分だけ第１ラッチ３１の付勢方向への回動を許容するスペースが減少していくことになる。よって、減少したスペースの分だけ、第１ラッチ３１は付勢方向とは逆方向、すなわち第１ガスケット７と第２ガスケット８とを接近させる方向に回動するように、第１カム面４１ａによって押し動かされるようになっている。
【０１３５】
第１扉４が閉位置にある状態で第２扉５が開閉するときも同様である。例えば、第２扉５の後面が冷蔵庫本体６の開口部２から離隔すると、この離隔によって得られたスペースの分だけ第１シーソーカム４１の時計回り方向への回動が許容され、第１シーソーカム４１は第１シーソーカム付勢手段による付勢力に従って回動する。この回動に伴って第１カム面４１ａが第１ラッチケース３７から抜け出していくから、上記の場合と同じように第１ラッチ３１の付勢方向への回動が許容されるようになる。
【０１３６】
この場合、第１シーソーカム４１は、第１押圧面４１ｂをカムケース４６から突出させると共に、第１カム面４１ａをカムケース４６に没入させて、第１シーソーカム４１の後側部４１ｃがカムケース４６の突部４６ａに当接するまで付勢力に従って回動する。
【０１３７】
第２扉５が閉じるときは、第２扉５の後面が、カムケース４６から突出する第１押圧面４１ｂの先端部に当接してこれを押圧する。この押圧によって、第１シーソーカム４１が反時計回り方向に回動し、第１カム面４１ａが第１ラッチ３１を第１扉４の内側に向けて回動させるように構成されている。
【０１３８】
この場合、第２扉５の後面が、第１押圧面４１ｂの先端部に当接するのに対して、第１摺接面３１ａが、第１カム面４１ａの略中央部で接するようになっている。このとき、第１押圧面４１ｂと第２扉５の後面との当接部からカム軸４３までの距離が、第１カム面４１ａと第１摺接面３１ａとの接触部からカム軸４３までの距離よりも大きくなるように構成されている。
【０１３９】
以上の構造により、上記第１ガスケット移動機構９Ａは、第１ラッチ３１と、第１ラッチ付勢手段と、第１シーソーカム４１と、第１シーソーカム付勢手段とによって、第２扉５が閉位置から開動作するとき、少なくとも、この第２扉５の開動作に連動して、第１ガスケット７を第２ガスケット８から離れるように移動させる一方、第２扉５が開閉途中の状態にあるとき、移動させた第１ガスケット７を該位置に保持すると共に、第２扉５が上記開閉途中の状態から閉位置に閉動作するとき、この第２扉５の閉動作に連動して、第１ガスケット７を第２ガスケット８に接近させるように構成されている。
【０１４０】
さらに、上記第１ガスケット移動機構９Ａは、第１ラッチ３１と、第１ラッチ付勢手段と、第１シーソーカム４１とによって、第１扉４が閉位置から開動作するとき、この第１扉４の開動作に連動して、第１ガスケット７を第２ガスケット８から離れるように移動させる一方、第１扉４が開閉途中の状態にあるとき、移動させた第１ガスケット７を該位置に保持すると共に、第１扉４が上記開閉途中の状態から閉位置に閉動作するとき、この第１扉４の閉動作に連動して、第１ガスケット７を第２ガスケット８に接近させるように構成されている。
【０１４１】
次に、図１０乃至１２を用いて第２ガスケット移動機構９Ｂを説明する。第２ガスケット移動機構９Ｂの構成要素と第１ガスケット移動機構９Ａの構成要素とは、冷蔵庫本体６の幅方向中央部を通過する縦断面を境界として略鏡像対称となるように構成されている。ゆえに、本件発明の技術的特徴に係る差異を除いては、これら構成要素の動作及び構造については詳述しない。この場合、第１ガスケット移動機構９Ａについての説明に現れた構成要素を、第２ガスケット移動機構９Ｂに係るものに置き換えた上で、冷蔵庫本体６の幅方向に係るものを左右反転させればよい（例えば、右方が左方に対応し、時計回り方向が反時計回り方向に対応する）。
【０１４２】
図１２に示すように、第２扉５の上端側側縁部には、この第２扉５の前後方向に沿って延びる略薄箱状の第２ラッチケース３８が形成され、この第２ラッチケース３８は、その第２扉５の後面と上記対向する側面（両扉４，５が閉位置にあるとき、第１扉４に面する側面）とがそれぞれ開口している。
【０１４３】
上記第２ラッチ３２は、この第２ラッチケース３８の内部に揺動可能に支持されており、その揺動軸としての第２揺動軸３４には、上記の如く、第２ラッチ３２が第２扉５の内側から第２扉５の外側に向かう方向に回動付勢する、公知のねじりコイルバネ等からなる第２ラッチ付勢手段が設けられている。
【０１４４】
また、第２ラッチ３２及び第２ラッチケース３８は、それぞれ第１ラッチ３１及び第１ラッチケース３７の取付位置から下方にずらして配設されている。
【０１４５】
上記のように、第１ラッチ３１と第２ラッチ３２とを高さ方向にずらして配設することによって、第１及び第２ラッチ３１，３２の揺動に伴って生じ得るラッチ同士の干渉を防止するようになっている。
【０１４６】
また、第２ラッチ３２の長手方向側面部のうち、第２扉５の外側に位置する一側面部には、その長手方向中央部から揺動端部３２ｂに向かうにつれて、第２扉５の外側から内側に向かうように曲がる略円弧状の第２摺接面３２ａが形成されている。
【０１４７】
既に述べたように、上記カムケース４６には、第１シーソーカム４１と同軸で第２シーソーカム４２が設けられており、第１シーソーカム４１と独立して揺動するように枢支されている。
【０１４８】
図１２に示すように、カム軸４３が挿し通された両シーソーカム４１，４２のうち、高さ方向下側に第２シーソーカム４２が位置する。
【０１４９】
図１０に示すように、本実施形態に係る第２シーソーカム４２は、両扉４，５がいずれも閉位置にあるとき、揺動端部の一方に形成された第２カム面４２ａが第２ラッチ３２の第２摺接面３２ａに摺接し、他方に形成された第２押圧面４２ｂが第１扉４の後面に押圧されるようになっている。
【０１５０】
この場合、第２ラッチ３２と併せて第２シーソーカム４２も下方にあることから、第２シーソーカム４２の揺動端部の各々が、第１ラッチケース３７及び第１シーソーカム４１と接する第１ラッチ３１、並びに第２扉５の後面と干渉せずに、第１扉４の後面及び第２ラッチ３２と接するようになる。
【０１５１】
図１０に示すように、第１扉４が閉位置にあるとき、第１扉４の後面と、この後面から押圧される第２押圧面４２ｂとが干渉することによって、第２シーソーカム４２の反時計回り方向への回動を規制するように構成されている。
【０１５２】
この規制状態の場合、第２押圧面４２ｂは、第１扉４の後面からの押圧によってカムケース４６に没入すると共に、第２カム面４２ａが、第２扉５の後面側から該第２扉５の内側に向かうようにカムケース４６から突出した状態に保持され、第２扉５も閉位置にあるとき、このカムケース４６から突出する第２カム面４２ａが、第２ラッチケース３８の後面開口部から該ケース３８に入り込んで、第２ラッチ３２の第２摺接面３２ａに接触するように構成されている。そして、上記の様に、この第２摺接面３２ａは、第２ラッチ３２の長手方向側面部のうち第２扉５の外側に向けて面する一側面部に設けられている。ゆえに、上記のような接触によって、第２カム面４２ａは、第２ラッチ３２が第２扉５の外側に向かおうとする回動を規制すると共に、該第２ラッチ３２を第２扉５の内側に向けて押し動かして、第２ガスケット８を第１ガスケット７に対し接近するように移動させ、且つその位置を保持するように構成されている。
【０１５３】
すなわち、両扉４，５が共に閉位置にあるとき、第２ラッチ３２が第２ラッチ付勢手段の回動付勢力に従って第２カム面４２ａを押し動かして、第２シーソーカム４２を反時計回り方向に回動させようとする。しかし、上記のように、第１扉４の後面からの押圧が、第２シーソーカム４２の反時計回り方向への回動を許容しない状態にある。ゆえに、第２カム面４２ａを介して第２シーソーカム４２と接触する第２ラッチ３２の回動も許容されず、第２ガスケット８を第１ガスケット７に対し接近させた状態のままに保持されるようになっている。
【０１５４】
その一方で、第１扉４が閉位置から開いて第２シーソーカム４２の反時計回り方向への回動が許容されるとき、第２シーソーカム４２の該方向への回動に伴って、第２カム面４２ａがカムケース４６に没入すると共に、第２押圧面４２ｂの先端側がカムケース４６から第１扉４の後面に向けて突出するように構成されている。
【０１５５】
上記カム軸４３には、上記の如く、この第２シーソーカム４２を反時計回り方向に回動付勢する付勢力を与える第２シーソーカム付勢手段がさらに設けられている。この第２シーソーカム付勢手段は、例えばねじりコイルバネ等の公知のものから成り、カム軸４３に巻き付けられて固定されている。
【０１５６】
また、第２シーソーカム４２が所定の角度まで回動したとき、この第２シーソーカム４２の後側部４２ｃとカムケース４６の突部４６ａとが当接するように構成されている。この当接によって、第２シーソーカム４２の時計回り方向及び反時計回り方向への過度の回動を防止するようになっている。
【０１５７】
また、第１ガスケット移動機構９Ａの場合と同様に、第２カム面４２ａと第２摺接面３２ａとは、第１扉４が閉位置にある状態での第２扉５の開閉動作、又は第２扉５が閉位置にある状態での第１扉４の開閉動作によって、互いに摺接及び接離する。そして、この摺接及び接離によって、第２ラッチケース３８内部のスペースのうち、特に第２ラッチ３２の付勢方向（時計回り方向又は第２扉５の外側に向かう方向とも記載）への回動を許容するスペースの大きさが増減するようになる。
【０１５８】
以上の構造により、上記第２ガスケット移動機構９Ｂは、第２ラッチ３２と、第２ラッチ付勢手段と、第２シーソーカム４２と、第２シーソーカム付勢手段とによって、第１扉４が閉位置から開動作するとき、少なくとも、この第１扉４の開動作に連動して、第２ガスケット８を第１ガスケット７から離れるように移動させる一方、第１扉４が開閉途中の状態にあるとき、移動させた第２ガスケット８を該位置に保持すると共に、第１扉４が開閉途中の状態から閉位置に閉動作するとき、この第１扉４の閉動作に連動して、第２ガスケット８を第１ガスケット７に接近させるように構成されている。
【０１５９】
また、上記第２ガスケット移動機構９Ｂは、第２ラッチ３２と、第２ラッチ付勢手段と、第２シーソーカム４２とによって、第２扉５が閉位置から開動作するとき、この第２扉５の開動作に連動して、第２ガスケット８を第１ガスケット７から離れるように移動させる一方、第２扉５が開閉途中の状態にあるとき、移動させた第２ガスケット８を該位置に保持すると共に、第２扉５が上記開閉途中の状態から閉位置に閉動作するとき、この第２扉５の閉動作に連動して、第２ガスケット８を第１ガスケット７に接近させるように構成されている。
（第２の実施形態に係るガスケット移動機構の作動、及びガスケットの動作）
以下、第１及び第２扉４，５がいずれも閉位置にあるとき、第１扉４が閉位置から開くとき、及び第１扉４が閉位置に閉じるときの第２の実施形態に係るガスケット移動機構９の作動、並びに第１及び第２ガスケット７，８の動作を説明する。
【０１６０】
（両扉の閉時）
第１及び第２扉４，５が閉位置にあるとき、第１及び第２ガスケット移動機構９Ａ，９Ｂが、それぞれ一方のガスケット７，８を他方のガスケット８，７に接近させるように押動するため、第１及び第２ガスケット７，８は、互いのマグネット同士の吸引力により密着している。
【０１６１】
このときの第１ガスケット移動機構９Ａの動きについて具体的に説明すると、図８に示すように、第２扉５の後面により押圧された第１シーソーカム４１が、その第１カム面４１ａを第１ラッチケース３７の内部に挿入して第１ラッチ３１の第１摺接面３１ａに接触し、第１扉４の内側に向けて押動する。第１ラッチ３１は、第１ラッチ付勢手段による付勢力に従って、第１扉４の外側に向かって回動しようとする。しかし、上記押圧が、第１シーソーカム４１の該回動方向への回動を規制するため、第１ラッチ３１の第１扉４の外側に向かう回動は許容されない。よって、第１ラッチ３１は、その揺動端部３１ｂを第１扉４の内側に向けて、ひいては第２ラッチ３２の揺動端部３２ｂに向けて接近させた状態に保持される。
【０１６２】
第２ガスケット移動機構９Ｂについても同様で、図１０に示すように、第２ラッチ３２は、第２シーソーカム４２を介した第１扉４の後面からの押圧を受け、その揺動端部３２ｂを第２扉５の内側に向けて、ひいては第１ラッチ３１の揺動端部３１ｂに向けて接近させた状態に保持される。
【０１６３】
第１及び第２ラッチ３１，３２は、第１及び第２ガスケット７，８と一体的に揺動するようにそれぞれ連結されているから、上記の様に互いの揺動端部３１ｂ，３２ｂを接近させた状態ではガスケット７，８同士も互いに接近する。そして、各ガスケット７，８に保持されたマグネットの吸引力によって互いに密着し、閉位置にある第１扉４と第２扉５の互いに対向する側縁部の間をシールする。
【０１６４】
（第１扉の開動作時）
初めに、第２扉５が閉位置にあって、第１扉４が閉位置から開動作するときの第１ガスケット移動機構９Ａの作動について説明する。
【０１６５】
図９に示すように、第１ラッチ３１も第１扉４と共に動作して変位する。この変位に伴って、第１ラッチケース３７に差し込まれた第１シーソーカム４１の第１カム面４１ａが、該ケース３７の後面開口部から抜け出していく。このとき、第１カム面４１ａが第１ラッチケース３７に対し変位した分だけ、第１ラッチケース３７内部における第１摺接面３１ａが面する側のスペース、すなわち、第１ラッチ３１が付勢方向に回動するスペースが増大して、この増大したスペースの分だけ第１ラッチ３１の該方向への回動が許容されるようになる。よって、第１ラッチ３１は、第１ラッチ付勢手段による付勢力に従って、その第１摺接面３１ａを第１カム面４１ａに沿って摺動させながら回動する。
【０１６６】
このようにして、第１扉４の開動作に連動して第１ラッチ３１が第１扉４の外側に向かうように回動すると共に、この第１ラッチ３１に連結された第１ガスケット７が第２ガスケット８から離れるように移動することになる。
【０１６７】
第１扉４がさらに開動作すると、第１ラッチ３１は、第１カム面４１ａとの接触が完全に離れるようになる。そして、第１ラッチ３１の周壁部を第１ラッチケース３７の内壁部に当接させて、その位置を保持する。
【０１６８】
なお、第１シーソーカム４１は、第２扉５の後面からの押圧を受けてその位置が保持されるようになっているため、第１扉４の開動作に連動して回動することはない。
【０１６９】
次に、このときの第２ガスケット移動機構９Ｂの作動について説明する。
【０１７０】
第１扉４が閉位置から開いた所定の開度までの角度範囲にあるとき、図１１に示すように、上記開動作に伴って第１扉４の後面が冷蔵庫本体６の開口部２周縁から離隔するため、離隔した分だけ第２シーソーカム４２の反時計回り方向への回動を許容するスペースが生じるようになる。よって、第２シーソーカム４２は、この増大したスペースの分だけ第２シーソーカム付勢手段による付勢力に従って反時計回り方向（図９及び１１の紙面上に記された矢印方向に相当）に回動する。この回動に伴い、第２押圧面４２ｂの先端側がカムケース４６から突出して第１扉４の後面に当接すると共に、第２カム面４２ａがカムケース４６に没入するようになっている。このとき、第２カム面４２ａは、第２ラッチケース３８の後面開口部に向かうように回動してカムケース４６に没入していく。これにより、上記第１ラッチケース３７からの第１カム面４１ａの抜けだしと同様に、第２ラッチケース３８内部における第２摺接面３２ａが面する側のスペース、すなわち、第２ラッチ３２が付勢方向に回動するスペースが増大して、この増大したスペースの分だけ第２ラッチ３２の該方向への回動が許容されるようになる。よって、第２ラッチ３２は、第２ラッチ付勢手段による付勢力に従って、その第２摺接面３２ａを第２カム面４２ａに沿って摺動させながら回動する。
【０１７１】
このようにして、第１扉４の開動作に連動して第２ラッチ３２が第２扉５の外側に向かうように回動すると共に、この第２ラッチ３２に連結された第２ガスケット８が第１ガスケット７から離れるように移動することになる。
【０１７２】
第１扉４がさらに開動作すると、第２ラッチ３２は、第２カム面４２ａとの接触が完全に離れるようになる。そして、第２ラッチ３２の周壁部を第２ラッチケース３８の内壁部に当接させて、その位置を保持する。
【０１７３】
このとき、第２シーソーカム４２は、第１扉４の後面との接触が完全に離れ、該カム４２の後側部４２ｃがカムケース４６の突部４６ａに当接するまで回動する。そして、第２押圧面４２ｂの先端側をカムケース４６から突出させた状態で、その位置を保持する。
【０１７４】
以上のように、第１扉４の開動作に連動して、第１ガスケット移動機構９Ａは、第１ラッチ３１の回動を利用して第１ガスケット７を第２ガスケット８から離れるように移動させる一方、第２ガスケット移動機構９Ｂは、第２ラッチ３２及び第２シーソーカム４２の回動を利用して第２ガスケット８を第１ガスケット７から離れるように移動させるように構成されているから、第１扉４は、第１ガスケット７を第２ガスケット８に干渉させることなく開動する。
【０１７５】
そして、第１扉４がさらに開動作すると、第１及び第２ラッチ３１，３２は、それぞれの周壁部を第１及び第２ラッチケース３７，３８の内壁部に当接させて、その位置を保持するように構成されている。
【０１７６】
（第１扉の閉動作時）
第２扉５が閉位置にある状態で第１扉４が閉動作するとき、第１扉４が所定の開度を下回るまでは、第１及び第２ラッチ３１，３２の、それぞれが設けられた各ラッチケース３７，３８内での位置は、開動作時に移動したままの位置に保持される。よって、開動作時に両ガスケット７，８が離隔して空いた所に第１ガスケット７が収まっていくことになる。ゆえに、第１扉４は、第１ガスケット７を第２ガスケット８に干渉させることなく閉動作する。
【０１７７】
第１扉４がさらに閉動作して、所定の開度を下回ったときの第１ガスケット移動機構９Ａの作動について説明する。
【０１７８】
図９に示すように、このとき、第１扉４の閉動作に伴って第１カム面４１ａが第１ラッチケース３７の内部に再び入り込み、第１カム面４１ａが第１摺接面３１ａに接触するようになる。
【０１７９】
第１扉４が開動作するときとは逆に、第１カム面４１ａが入り込んだ分だけ第１ラッチ３１の付勢方向への回動を許容するスペースが減少していく。ゆえに、第１扉４が閉位置に近づくに従って、第１ラッチ３１は第１カム面４１ａに押動され、第１扉４の内側に向かうように回動する。
【０１８０】
このように、第１扉４の閉動作に連動して第１ラッチ３１が第１扉４の内側に向かうように回動すると共に、この第１ラッチ３１に連結された第１ガスケット７が第２ガスケット８に接近するように移動する。また、第１扉４が閉位置に至ったときに、第１ガスケット７の位置が元の位置に戻るようになっている。
【０１８１】
このときの第２ガスケット移動機構９Ｂの作動について説明すると、図１１に示すように、第１扉４の閉動作に伴って、該扉４の後面がカムケース４６から突出した状態にある第２シーソーカム４２の第２押圧面４２ｂに当接するようになる。この状態から第１扉４がさらに閉動作すると、第１扉４の後面が第２押圧面４２ｂを押圧し、この押圧によって、第２シーソーカム４２が第２シーソーカム付勢手段による付勢力に抗して時計回り方向に回動する。そして、第２カム面４２ａがカムケース４６から突出して第２ラッチケース３８に入り込み、該ラッチケース３８の後面開口部から側面開口部に向かうように回動し、第２ラッチ３２の第２摺接面３２ａに接触する。
【０１８２】
この回動によって、第１扉４が開動作するときとは逆に、第２ラッチ３２は第２カム面４２ａに押動され、第２扉５の内側に向かうように回動する。
【０１８３】
このように、第１扉４の閉動作に連動して第２ラッチ３２が第２扉５の内側に向かうように回動すると共に、この第２ラッチ３２に連結された第２ガスケット８が第１ガスケット７に接近するように移動することになる。また、第１扉４が閉位置に至ったときに、第１ガスケット７の位置が元の位置に戻るようになっている。
【０１８４】
以上のように、第１扉４の閉動作に連動して、第１ガスケット移動機構９Ａは、第１ラッチ３１の回動を利用して第１ガスケット７を第２ガスケット８に接近するように移動させる一方、第２ガスケット移動機構９Ｂは、第２ラッチ３２及び第２シーソーカム４２の回動を利用して第２ガスケット８を第１ガスケット７に接近するように移動させるように構成されている。このことから、第１扉４は、開動作時に移動させた両ガスケット７，８を互いに干渉させることなく接近させて、再び密着させることができる。
【０１８５】
上記説明では、第１扉４の開閉動作を例にとって説明したが、第２扉５の開閉動作についても同様である。
【０１８６】
すなわち、この場合、第２扉５の開動作に連動して、第１ガスケット移動機構９Ａは、第１ラッチ３１及び第１シーソーカム４１の回動を利用して第１ガスケット７を第２ガスケット８から離れるように移動させる一方、第２ガスケット移動機構９Ｂは、第２ラッチ３２の回動を利用して第２ガスケット８を第１ガスケット７から離隔するように移動させるように構成されている。
【０１８７】
そして、第２扉５の閉動作に連動して、第１ガスケット移動機構９Ａは、第１ラッチ３１及び第１シーソーカム４１の回動を利用して第１ガスケット７を第２ガスケット８に接近するように移動させる一方、第２ガスケット移動機構９Ｂは、第２ラッチ３２の回動を利用して第２ガスケット８を第１ガスケット７に接近するように移動させるように構成されている。
【０１８８】
したがって、この扉装置３の場合、両扉４，５の閉位置で互いのガスケット７，８同士が密着する方式を採用しているから、両ガスケット７，８間の隙間を塞ぐための仕切体は不要になり、仕切体により収容スペースが減少するという問題は生じない。
【０１８９】
そうして、ガスケット移動機構９により、第１扉４が閉位置から開動作するときには、この開動作に連動して第２ガスケット８が移動して第１ガスケット７から離れるように構成されている。よって、ガスケット７，８同士の干渉を防止して第１扉４の開動作を円滑にするために有利になる。また、第１扉４が開閉途中の状態にあるときには、第２ガスケット８の位置が移動したままの位置に保持されるから、第１扉４が閉動作するとき、その移動によって空いた所に第１ガスケット７が収まっていくことになる。ゆえに、ガスケット７，８同士の干渉を招くことが避けられるから、第１扉４の閉動作も円滑になる。そして、第１扉４が開閉途中の状態から閉位置に達しようとするとき、第２ガスケット８は第１ガスケット７に密着するように移動し、第１扉４が閉位置に達するとガスケット７，８同士が密着した状態になる。よって、第２ガスケット８を所定の閉位置に導いてガスケット７，８同士を再び密着させるために有利になる。
【０１９０】
その上、ガスケット移動機構９は、閉位置にある第２扉５の開動作に連動して第２ガスケット８を第１ガスケット７から離隔するように移動させる一方、第２扉５が開閉途中の状態にあるときには、第２ガスケット８の位置を移動したままの位置に保持し、さらに第２扉５の閉動作に連動して第２ガスケット８を第１ガスケット７に密着するように移動させる構成とされている。このようにして構成される第２ガスケット移動機構９Ｂを用いることによって、第１及び第２扉４，５のいずれか一方の開閉動作に連動して第２ガスケット８を移動させる構成になっているため、ガスケット７，８同士の干渉を招くことが避けられ、両扉４，５の開閉動作が円滑になると共に、第１又は第２扉４，５を閉じたときにガスケット７，８同士を再び密着させるために有利になる。
【０１９１】
さらに、本実施形態に係るガスケット移動機構９は、閉位置にある第１及び第２扉４，５のいずれか一方の開閉動作に連動して第１ガスケット７を移動させる、第１ガスケット移動機構９Ａをさらに備えた構成とされている。第１及び第２ガスケット移動機構９Ａ，９Ｂが共に作動することによって、閉位置にある両扉４，５のいずれか一方の開閉動作に連動して両ガスケット７，８を互いに接離するように移動させるようになっている。ゆえに、ガスケット７，８同士の干渉防止にさらに有利になり、両扉４，５の開閉動作が一層円滑になる。
【０１９２】
その上、ガスケット移動機構９は、両扉４，５の内のいずれか一方が、閉位置から所定の開度までの角度範囲で開閉動作するとき、第１ガスケット７と第２ガスケット７とを共に移動させる構成とされている。よって、ガスケット移動機構９は、例えば、第１扉４が閉位置から開くとき、この第１扉４の開動作と同時に両ガスケット７，８の各々を互いに離隔するように移動させるから、第１扉４が開くときのガスケット７，８同士の干渉を防止するにあたってさらに有利になる。その上、この開動作した第１扉４が閉位置に閉動作するときは、この第１扉４の開度が小さくなるにつれて、両ガスケット７，８の各々を順次移動させることになる。そして、第１扉４が閉位置に至ると同時にガスケット７，８同士が互いに密着するように移動させる。これにより、第１扉４の閉動作に際しても、ガスケット７，８同士の干渉防止を図るにあたってさらに有利となる。
【０１９３】
本実施形態では、第１ガスケット移動機構９Ａは、例えば、第１扉４が閉位置にあるとき、第２扉５の開動作に伴い、第１シーソーカム４１を第１シーソーカム付勢手段による付勢力に従って回動させ、さらに、該回動に連動して、第１ラッチ付勢手段による付勢力に従った第１ラッチ３１の回動を許容するように構成されている。この回動によって、第１ガスケット７は第２ガスケット８から離れるように移動する。
【０１９４】
また、第２扉５が閉位置にあるとき、第１扉４の開動作に伴い、第１ラッチ付勢手段による付勢力に従った第１ラッチ３１の回動を許容するように構成されている。この回動によって、第１ガスケット７は第２ガスケット８から離れるように移動する。
【０１９５】
この場合、第１シーソーカム４１及び第１ラッチ３１は、どちらも操作者の手によって与えられたトルクに従って回動するものではなく、それぞれに設けられた付勢手段による付勢力に従って回動するものである。よって、操作者への負荷を増大させることなく第１ガスケット７を第２ガスケット８から離れる様に移動させることができる。
【０１９６】
第２ガスケット移動機構９Ｂについても同様である。この場合も、第２シーソーカム４２及び第２ラッチ３２は、それぞれに設けられた付勢手段による付勢力に従って回動するものであるから、操作者への負荷を増大させることなく第２ガスケット８を第１ガスケット７から離れる様に移動させることができる。
【０１９７】
また、第１扉４の開動作に伴って、この第１扉４の後面により押圧される第２押圧面４２ｂが、第２シーソーカム付勢手段の付勢力に従ってカムケース４６から突出するように構成されているから、第１扉４が閉じるとき、閉動作する第１扉４の後面によって、この突出部を付勢力に抗して押動してカムケース４６に没入させることによって、第２押圧面４２ｂ、ひいては第２シーソーカム４２全体の位置を元の位置に戻すことができる。第１押圧面４１ｂの構成、及び第２扉５の開閉動作に伴う第１押圧面４１ｂの動作についても同様である。
【０１９８】
さらに、第１扉４が閉じるときであって、且つ該第１扉４が所定の角度範囲にあるとき、カムケース４６から突出する第２押圧面４２ｂと第１扉４の後面との当接部からカム軸４３までの距離が、第２カム面４２ａと第２摺接面３２ａとの接触部からカム軸４３までの距離よりも大きくなるように構成されている。よって、第１扉４を押動して第２シーソーカム４２を回動させ、この回動する第２シーソーカム４２によって第２ラッチ３２をさらに押動して回動させる際に、操作者が第１扉４を介して第２シーソーカム４２を回動させる力よりも、第２シーソーカム４２が第２ラッチ３２を回動させる力を大きくすることができる。第１シーソーカム４１及び第１ラッチ３１についても同様に構成されている。よって、第２又は第１扉５，４を閉じるときの操作者への負担を低減することができる。
【０１９９】
また、第１及び第２ラッチ３１，３２の各々両端部のうち、一方が揺動端部３１ｂ，３２ｂとして第１及び第２シーソーカム４１，４２とそれぞれ接触する一方、他方が基端部として軸支されている。それゆえ、例えば、各ラッチ３１，３２の長手方向中央部に基端部を設けた場合と比較すると、各ラッチ３１，３２について揺動端部３１ｂ，３２ｂと基端部との間の距離を長くとるように構成されているから、各ラッチ３１，３２をより小さな力で回動させることができる。よって第１又は第２扉４，５を閉じるときの操作者への負担をさらに低減することができる。
【０２００】
また、本実施形態の構成では、第１及び第２ガスケットは、両扉４，５が閉位置にあるとき、各扉４，５の前後方向略中央部から後面側にかけての領域で互いに密着する一方、揺動軸３３，３４側では互いに離隔するように形成されている。ゆえに、第１及び第２ラッチ３１，３２が回動によって長く変位する第１及び第２揺動端部３１ｂ，３２ｂ側で両ガスケット７，８を十分に密着させる一方、短く変位する第１及び第２揺動軸３３，３４側では、両ガスケット７，８同士の干渉を防ぐために有利にすることができる。
【０２０１】
さらに、第１シーソーカム４１と第２シーソーカム４２とが共通のカム軸４３を用いるように構成されているから、収容スペース減少の問題を防止するにあたってさらに有利になる。
【０２０２】
その上、第１及び第２シーソーカム４１，４２を高さ方向にずらして配設することによって、それぞれに接触する第１及び第２ラッチ３１，３２についても高さ方向にずらして配設することが可能となる。これにより、第１ラッチ３１と第２ラッチ３２とが共に動作するときの両ラッチ３１，３２の干渉を防止し、両扉４，５の開閉動作を円滑なものにするにあたって有利になる。
【０２０３】
この第２の実施形態に係る扉装置３も、物品等を収容する種々の物体を区画する壁部の開口部の開閉に採用することができるものであるが、特に冷蔵庫１の開口部２への採用に適するものである。
（第２の実施形態に係る変形例）
この第２の実施形態では、第１扉４の開閉動作に伴って第２ガスケット８ばかりでなく、第１ガスケット７も移動させるように構成されているが、必ずしもこの構成に限定されるものではない。例えば、第１扉４の開閉動作に伴って第２ガスケット８のみを移動させるように構成してもよい。
【０２０４】
また、第１及び第２扉４，５のいずれか一方の開閉動作に伴って、第１及び第２ガスケット７，８を共に移動させるように構成されているが、必ずしもこの構成に限定されるものではない。例えば、第１ガスケット移動機構９Ａのみを備え、第２扉５を公知の構成とすることによって、第１及び第２扉４，５のいずれか一方の開閉動作に伴って、第１ガスケット７のみを移動させるように構成してもよい。
【０２０５】
さらに、上記ガスケット移動機構９は、第１及び第２扉４，５のいずれか一方が閉位置から開いた所定の角度範囲にあるとき、第１ガスケット７と第２ガスケット８とを共に移動させるように構成されているが、必ずしもこの構成に限定されるものではない。例えば、第１カム面４１ａを、冷蔵庫本体６側から第１扉４の後面に向けて、該後面に対し略垂直に延びるように形成することによって、第１ガスケット７が移動し始めるタイミングと第２ガスケット８が移動し始めるタイミングとでズレが生じるようになる。この場合、第１扉４が閉位置から開くとき、第２ガスケット８が移動してから第１ガスケット７が移動するようになる。
【０２０６】
また、第２の実施形態には、第１及び第２ラッチ３１，３２と、第１及び第２ラッチ付勢手段と、第１及び第２シーソーカム４１，４２と、第１及び第２シーソーカム付勢手段とが備えられているが、必ずしもこの構成に限定されるものではなく、それぞれの形態，動作などを適宜変更することができる。少なくとも、一方の扉の開閉動作に伴って、他方の扉に取り付けられたガスケットを移動させるような機構が備えられていればよい。
【０２０７】
また、第１シーソーカム４１の第１押圧面４１ｂは、第２扉５が閉位置にあるときにはカムケース４６に没入する一方、第２扉５が閉位置から開くとき、このカムケース４６から第２扉５の後面に向けて突出するように構成されているが、必ずしもこの構成に限定されるものではない。例えば、第１押圧面４１ｂを突出させずに、第２扉５の後面からカムケース４６に向けて突出する突起部を一体的に設けてもよい。この場合、第２扉５が閉位置に閉じるときに、この突起部をカムケース４６に挿し入れることにより、第１シーソーカム４１を付勢力に抗して回動させることができる。
【０２０８】
第２の実施形態では、冷蔵庫本体６の開口部２の上縁部中央に設けられたカムケース４６に、第１シーソーカム４１と第２シーソーカム４２とが共通のカム軸４３によって高さ方向に並ぶ様に枢支されているが、必ずしもこの構成に限定されるものではない。例えば、カムケース４６を開口部２の下縁部中央に配設することもできるし、上縁部中央及び下縁部中央のそれぞれにカムケース４６，４６を配設することもできる。後者の場合、両カムケース４６，４６のそれぞれに第１シーソーカム４１と第２シーソーカム４２とを配設することができるし、両カムケース４６，４６の一方に第１ガスケット移動機構９Ａを配設し、他方に第２ガスケット移動機構９Ｂを配設するように構成することもできる。
【０２０９】
第２の実施形態では、第１及び第２ラッチ３１，３２に連結された両ガスケット７，８が、高さ方向に延びる揺動軸に沿って揺動するように構成されているが、必ずしもこの構成に限定されるものではない。例えば、揺動軸が高さ方向からやや傾いて延びる場合、又は幅方向等に沿って延びる場合についても本発明を用いることができる。
【０２１０】
第２の実施形態では、本発明に係る扉装置を備えた冷蔵庫について説明したが、冷蔵庫以外の物品、例えば冷蔵機能を備えていない貯蔵庫等にも本発明に係る扉装置を用いることができる。
【符号の説明】
【０２１１】
１  冷蔵庫
２  開口部
３  扉装置
４  第１扉
５  第２扉
７  第１ガスケット
８  第２ガスケット
９  ガスケット移動機構
２１，２２  アーム
２３  揺動カム
２３ａ，２３ｂ  カム面
２４  固定ガイド
２４ａ，２４ｂ  ガイド面
３１  第１ラッチ
３２  第２ラッチ
４１  第１シーソーカム（第１揺動カム）
４２  第２シーソーカム（第２揺動カム）
４１ａ  第１カム面
４２ａ  第２カム面
４１ｂ  第１押圧面
４２ｂ  第２押圧面
４３  カム軸（第１及び第２揺動カムの揺動軸）
【図１】
2015087094.tif 000003
【図２】
2015087094.tif 000004
【図３】
2015087094.tif 000005
【図４】
2015087094.tif 000006
【図５】
2015087094.tif 000007
【図６】
2015087094.tif 000008
【図７】
2015087094.tif 000009
【図８】
2015087094.tif 000010
【図９】
2015087094.tif 000011
【図１０】
2015087094.tif 000012
【図１１】
2015087094.tif 000013
【図１２】
2015087094.tif 000014
【図１３】
2015087094.tif 000015